(57)【要約】  方法が、複数のmmWave送信ポイント（TP）によって送信されるビーム形成された基準信号を測定するステップと、測定されたビーム形成された基準信号に従って決定された最良のmmWave TPに関連するインジケータを含むクラウドセル形成要求を送信するステップと、選択情報に従って中央コントローラによって選択された最良のmmWave TPのサブセットに関連するインジケータを含むクラウドセル形成要求応答を受信するステップであって、最良のmmWave TPのサブセットは、マスタTPとしてサービスする第1のmmWave送信ポイント（TP）およびスレーブTPとしてサービスする第2のmmWave TPを含む、ステップと、中央コントローラによって選択された最良のmmWave TPのサブセットのmmWave TPとクラウドセルを確立するステップであって、データ接続がスレーブTPと確立され、少なくとも制御接続がマスタTPと確立される、ステップと、を含む。
2019511178.tif 000002
【特許請求の範囲】
【請求項１】
ミリ波（mmWave）ユーザ機器（UE）を動作させるための方法であって、前記方法は、
前記mmWave UEによって、複数のmmWave送信ポイント（TP）によって送信されるビーム形成された基準信号を測定するステップと、
前記mmWave UEによって、前記測定されたビーム形成された基準信号に従って決定された最良のmmWave TPに関連するインジケータを含む測定レポートを含むクラウドセル形成要求を送信するステップと、
前記mmWave UEによって、選択情報に従って中央コントローラによって選択された前記最良のmmWave TPのサブセットに関連するインジケータを含むクラウドセル形成要求応答を受信するステップであって、前記最良のmmWave TPの前記サブセットは、マスタTPとしてサービスする第1のmmWave送信ポイント（TP）およびスレーブTPとしてサービスする第2のmmWave TPを含む、ステップと、
前記mmWave UEによって、前記中央コントローラによって選択された前記最良のmmWave TPの前記サブセットのmmWave TPとクラウドセルを確立するステップであって、データ接続が前記スレーブTPと確立され、少なくとも制御接続が前記マスタTPと確立される、ステップと
を含む、方法。
【請求項２】
前記mmWave UEによって、前記複数のmmWave TPによって送信されたTP特定信号を測定するステップと、
前記mmWave UEによって、最も強い測定されたTP特定信号に関連するmmWave TPとのダウンリンク同期を確立するステップと
をさらに含む、請求項1に記載の方法。
【請求項３】
前記TP特定信号が、ブロードキャスト制御チャネル（BCCH）または同期信号のうちの少なくとも1つを含む、請求項2に記載の方法。
【請求項４】
前記ビーム形成された基準信号が、ビーム形成されたチャネル状態情報基準信号（CSI−RS）を含む、請求項1に記載の方法。
【請求項５】
前記ビーム形成された基準信号を測定するステップが、
各mmWave TPについて、
前記mmWave UEによって、複数の受信ビームを使用して複数のビーム形成された基準信号を測定するステップと、
前記mmWave UEによって、前記mmWave TPについて最良のビーム形成された基準信号および最良の受信ビームを選択するステップと
を含む、請求項1に記載の方法。
【請求項６】
前記選択情報が、前記複数のmmWave TP、mmWave TP能力、mmWave TP負荷、mmWave UE能力、および干渉状態のための前記最良のビーム形成された基準信号および前記最良の受信ビームを含む、請求項1に記載の方法。
【請求項７】
前記クラウドセルを確立するステップが、
前記mmWave UEによって、ビーム形成されたランダムアクセスチャネル（RACH）を前記マスタTPに送信するステップと、
前記mmWave UEによって、前記マスタTPからのビーム形成されたRACH応答（RAR）を受信して、前記マスタTPとの前記制御接続を形成するステップと、
前記mmWave UEによって、前記スレーブTPからビーム形成されたRARを受信するステップと、
前記mmWave UEによって、受信されたRARのインジケータを前記マスタTPに送信するステップと、
前記mmWave UEによって、前記マスタTPから送信パラメータのインジケータを受信するステップと
を含む、請求項1に記載の方法。
【請求項８】
複数のスレーブTPが存在し、前記クラウドセルを確立するステップが、前記複数のスレーブTPのそれぞれからビーム形成されたRARを受信するステップを含む、請求項7に記載の方法。
【請求項９】
前記クラウドセルを確立するステップが、
前記mmWave UEによって、ビーム形成されたランダムアクセスチャネル（RACH）を前記マスタTPに送信するステップと、
前記マスタTPからRARが受信されなかった場合、前記mmWave UEによって、RAR未受信メッセージを送信するステップと、
前記mmWave UEによって、中央コントローラによって選択された新しいmmWave TPのセットに関連するインジケータを含む応答を受信するステップであって、前記新しいmmWave TPのセットは、新しいマスタTPとしてサービスする第3のmmWave TPおよび新しいスレーブTPとしてサービスする第4のmmWave TPを含む、ステップと、
前記mmWave UEによって、前記中央コントローラによって選択された前記新しいmmWave TPのセットのmmWave TPとクラウドセルを確立するステップであって、データ接続が前記新しいスレーブTPと確立され、少なくとも制御接続が前記新しいマスタTPと確立される、ステップと
を含む、請求項1に記載の方法。
【請求項１０】
前記測定レポートを含む前記クラウドセル形成要求を送信するステップが、
前記mmWave UEによって、前記クラウドセル形成要求の前記中央コントローラへの転送をトリガするために前記クラウドセル形成要求をレガシー進化型NodeB（eNB）に送信するステップ
を含む、請求項1に記載の方法。
【請求項１１】
前記mmWave UEが、レガシーeNBおよび前記マスタTPに同時に接続される、請求項1に記載の方法。
【請求項１２】
中央コントローラを動作させるための方法であって、前記方法は、
前記中央コントローラによって、ミリ波（mmWave）送信ポイント（TP）によって送信された測定されたビーム形成された基準信号に従って決定された最良のmmWave TPに関する最良のビーム形成された基準信号および前記最良のmmWave TPに関連するインジケータを含む測定レポートを含むクラウドセル形成要求を受信するステップと、
前記中央コントローラによって、前記最良のビーム形成された基準信号に従って前記最良のmmWave TPのサブセットを選択するステップであって、前記最良のmmWave TPの前記サブセットは、マスタTPとしてサービスするmmWave送信ポイント（TP）およびスレーブTPとしてサービスするmmWave TPを含む、ステップと、
前記中央コントローラによって、前記最良のmmWave TPの前記サブセットに関連するインジケータを含むクラウドセル形成応答を送信するステップと
を含む、方法。
【請求項１３】
前記最良のmmWave TPの前記サブセットを選択するステップが、mmWave TP能力、mmWave TP負荷、mmWave UE能力、および干渉状態に従って、前記最良のmmWave TPの前記サブセットを選択するステップをさらに含む、請求項12に記載の方法。
【請求項１４】
前記最良のmmWave TPの前記サブセットおよび前記最良のビーム形成された基準信号に従って中央データベースを更新するステップをさらに含む、請求項12に記載の方法。
【請求項１５】
前記クラウドセル形成応答を送信するステップが、
前記中央コントローラによって、前記クラウドセル形成応答のmmWaveユーザ機器（UE）への転送をトリガするために前記クラウドセル形成応答をレガシー進化型NodeB（eNB）に送信するステップ
を含む、請求項12に記載の方法。
【請求項１６】
前記中央コントローラによって、前記最良のビーム形成された基準信号に従って決定された最良の受信ビームのインジケータを、前記最良のmmWave TPの前記サブセットの前記mmWave TPに送信するステップ
をさらに含む、請求項12に記載の方法。
【請求項１７】
第1のミリ波（mmWave）送信ポイント（TP）を動作させるための方法であって、前記方法は、
前記第1のmmWave TPによって、mmWaveユーザ機器（UE）とのアップリンク同期を実行するステップと、
前記第1のmmWave TPによって、前記mmWave UEに対してビーム形成されたランダムアクセスチャネル応答（RAR）をトリガするために第2のmmWave TPから前記mmWave UEへの確認応答を開始するステップと、
前記第1のmmWave TPによって、前記mmWave UEによって受信されたRARの数のインジケータを受信するステップと、
前記第1のmmWave TPによって、選択された送信パラメータのインジケータを前記mmWave UEに送信するステップと
を含む、方法。
【請求項１８】
前記アップリンク同期を実行するステップが、
前記第1のmmWave TPによって、前記mmWave UEからビーム形成されたランダムアクセスチャネル（RACH）を受信するステップと、
前記mmWave TPによって、ビーム形成されたRARを前記mmWave UEに送信するステップと
を含む、請求項17に記載の方法。
【請求項１９】
前記ビーム形成されたRARが、タイミングアドバンス情報を含む、請求項18に記載の方法。
【請求項２０】
前記第1のmmWave TPによって、前記mmWave UEによって受信された前記RARの数のインジケータを中央コントローラに送信するステップと、
前記第1のmmWave TPによって、前記mmWave UEによって受信された前記RARの数のインジケータを前記第2のmmWave TPに送信するステップと
をさらに含む、請求項18に記載の方法。
【請求項２１】
デジタル通信を実行するように適合されたミリ波（mmWave）ユーザ機器（UE）であって、前記mmWave UEは、
プロセッサと、
前記プロセッサによる実行のためのプログラミングを格納するコンピュータ可読記憶媒体と
を備え、前記プログラミングは、前記mmWave UEが、
複数のmmWave送信ポイント（TP）によって送信されるビーム形成された基準信号を測定し、
前記測定されたビーム形成された基準信号に従って決定された最良のmmWave TPに関連するインジケータを含む測定レポートを含むクラウドセル形成要求を送信し、
選択情報に従って中央コントローラによって選択された前記最良のmmWave TPのサブセットに関連するインジケータを含むクラウドセル形成要求応答を受信し、前記最良のmmWave TPの前記サブセットは、マスタTPとしてサービスする第1のmmWave送信ポイント（TP）およびスレーブTPとしてサービスする第2のmmWave TPを含み、
前記中央コントローラによって選択された前記最良のmmWave TPの前記サブセットのmmWave TPとクラウドセルを確立し、データ接続が前記スレーブTPと確立され、少なくとも制御接続が前記マスタTPと確立される、
ように構成するための命令を含む、
mmWave UE。
【請求項２２】
前記プログラミングが、前記複数のmmWave TPによって送信されたTP特定信号を測定し、最も強い測定されたTP特定信号に関連するmmWave TPとのダウンリンク同期を確立するための命令をさらに含む、請求項21に記載のmmWave UE。
【請求項２３】
前記プログラミングが、各mmWave TPについて、複数の受信ビームを使用して複数のビーム形成された基準信号を測定し、前記mmWave TPについて最良のビーム形成された基準信号および最良の受信ビームを選択するための命令をさらに含む、請求項21に記載のmmWave UE。
【請求項２４】
前記プログラミングが、ビーム形成されたランダムアクセスチャネル（RACH）を前記マスタTPに送信し、前記マスタTPからのビーム形成されたRACH応答（RAR）を受信して、前記マスタTPとの前記制御接続を形成し、前記スレーブTPからビーム形成されたRARを受信し、受信されたRARのインジケータを前記マスタTPに送信し、前記マスタTPから送信パラメータのインジケータを受信するための命令をさらに含む、請求項21に記載のmmWave UE。
【請求項２５】
前記プログラミングが、ビーム形成されたランダムアクセスチャネル（RACH）を前記マスタTPに送信し、前記マスタTPからRARが受信されなかった場合、RAR未受信メッセージを送信し、中央コントローラによって選択された新しいmmWave TPのセットに関連するインジケータを含む応答を受信し、前記新しいmmWave TPのセットは、新しいマスタTPとしてサービスする第3のmmWave TPおよび新しいスレーブTPとしてサービスする第4のmmWave TPを含み、前記中央コントローラによって選択された前記新しいmmWave TPのセットのmmWave TPとクラウドセルを確立し、データ接続が前記新しいスレーブTPと確立され、少なくとも制御接続が前記新しいマスタTPと確立される、ための命令をさらに含む、請求項21に記載のmmWave UE。
【請求項２６】
前記プログラミングが、前記クラウドセル形成要求をレガシー進化型NodeB（eNB）に送信して、前記クラウドセル形成要求の前記中央コントローラへの転送をトリガするための命令をさらに含む、請求項21に記載のmmWave UE。
【請求項２７】
デジタル通信を実行するように適合された中央コントローラであって、前記中央コントローラは、
プロセッサと、
前記プロセッサによる実行のためのプログラミングを格納するコンピュータ可読記憶媒体と
を備え、前記プログラミングは、前記中央コントローラが、
ミリ波（mmWave）送信ポイント（TP）によって送信された測定されたビーム形成された基準信号に従って決定された最良のmmWave TPに関する最良のビーム形成された基準信号および前記最良のmmWave TPに関連するインジケータを含む測定レポートを含むクラウドセル形成要求を受信し、
前記最良のビーム形成された基準信号に従って前記最良のmmWave TPのサブセットを選択し、前記最良のmmWave TPの前記サブセットは、マスタTPとしてサービスするmmWave TPおよびスレーブTPとしてサービスするmmWave TPを含み、
前記最良のmmWave TPの前記サブセットに関連するインジケータを含むクラウドセル形成応答を送信する、
ように構成するための命令を含む、中央コントローラ。
【請求項２８】
前記プログラミングが、mmWave TP能力、mmWave TP負荷、mmWave UE能力、および干渉状態に従って、前記最良のmmWave TPの前記サブセットを選択するための命令をさらに含む、請求項27に記載の中央コントローラ。
【請求項２９】
前記プログラミングが、前記クラウドセル形成応答をレガシー進化型NodeB（eNB）に送信して、前記クラウドセル形成応答のmmWaveユーザ機器（UE）への転送をトリガするための命令をさらに含む、請求項27に記載の中央コントローラ。
【請求項３０】
前記プログラミングが、前記最良のビーム形成された基準信号に従って決定された最良の受信ビームのインジケータを、前記最良のmmWave TPの前記サブセットの前記mmWave TPに送信するための命令をさらに含む、請求項27に記載の中央コントローラ。
【請求項３１】
デジタル通信を実行するように適合された第1のミリ波（mmWave）送信ポイント（TP）であって、前記第1のmmWave TPは、
プロセッサと、
前記プロセッサによる実行のためのプログラミングを格納するコンピュータ可読記憶媒体と
を備え、前記プログラミングは、前記第1のmmWave TPが、
mmWaveユーザ機器（UE）とのアップリンク同期を実行し、
第2のmmWave TPから前記mmWave UEへの確認応答を開始して、前記mmWave UEに対してビーム形成されたランダムアクセスチャネル応答（RAR）をトリガし、
前記mmWave UEによって受信されたRARの数のインジケータを受信し、
選択された送信パラメータのインジケータを前記mmWave UEに送信する、
ように構成するための命令を含む、第1のmmWave TP。
【請求項３２】
前記プログラミングが、前記mmWave UEからビーム形成ランダムアクセスチャネル（RACH）を受信し、ビーム形成されたRARを前記mmWave UEに送信するための命令をさらに含む、請求項31に記載の第1のmmWave TP。
【請求項３３】
前記プログラミングが、前記mmWave UEによって受信された前記RARの数のインジケータを中央コントローラに送信し、前記mmWave UEによって受信された前記RARの数のインジケータを前記第2のmmWave TPに送信するための命令をさらに含む、請求項31に記載の第1のmmWave TP。
【発明の詳細な説明】
【技術分野】
【０００１】
関連出願の相互参照
本出願は、2017年4月6日に出願された「System and Method for Millimeter Wave Communications」と題された米国特許出願第15／092388号に対する優先権を主張するものであり、その全体が本明細書に援用される。
【０００２】
本開示は、一般にデジタル通信に関し、より詳細にはミリ波（mmWave）通信のためのシステムおよび方法に関する。
【背景技術】
【０００３】
いくつかの無線通信システム、特に高周波数（例えば、6GHz以上）で動作する無線通信システムは、静止物体または移動物体によって容易に遮断される通信リンクを有することが多い。このような特性を有する通信リンクは、脆弱であるまたはリンク脆弱性を有すると言及されることが多い。
【発明の概要】
【課題を解決するための手段】
【０００４】
例示的な実施形態は、ミリ波（mmWave）通信のためのシステムおよび方法を提供する。
【０００５】
一態様によれば、第1のmmWave TPを動作させる方法が提供される。この方法は、第1のmmWave TPによって、UE中心のクラウドセルの構成に変更が必要であることを決定するステップであって、決定するステップは測定セットのmmWave TPによって送信されたビーム形成された基準信号の測定レポートに従う、ステップと、変更がUE中心のクラウドセルに関連する通信リンクの変調符号化方式（MCS）レベルへの変更を含む場合、第1のmmWave TPによって、通信リンクのMCSレベルを調整するステップと、を含む。この方法は、変更が通信ビームへの変更またはmmWave TP変更の少なくとも1つを含む場合、第1のmmWave TPによって、通信ビームへの変更またはmmWave TP変更の少なくとも1つを要求する変更クエリを送信するステップと、第1のmmWave TPによって、中央コントローラから確認メッセージを受信するステップと、を含む。この方法は、第1のmmWave TPによって、その変更に関するUE中心のクラウドセルのmmWave UEおよび第2のmmWave TPを更新するステップを含む。
【０００６】
別の態様によれば、クラウドセルに接続されたmmWave UEを動作させる方法が提供される。この方法は、mmWave UEによって、測定セットのmmWave TPから受信されたビーム形成された基準信号の測定レポートを送信するステップと、mmWave UEによって、クラウドセルの更新された構成情報を含むクラウドセル更新を受信するステップと、を含む。
【０００７】
別の態様によれば、デジタル通信を実行するように適合された第1のmmWave TPが提供される。第1のmmWave TPは、プロセッサと、プロセッサによる実行のためのプログラミングを格納するコンピュータ可読記憶媒体とを含む。プログラミングは、第1のmmWave TPが、UE中心のクラウドセルの構成に変更が必要であることを決定し、変更が必要であるとの決定は、測定セットのmmWave TPによって送信されたビーム形成された基準信号の測定レポートに従っており、変更がUE中心のクラウドセルに関連する通信リンクのMCSレベルへの変更を含む場合、通信リンクのMCSレベルを調整するように構成するための命令を含む。プログラミングは、第1のmmWave TPが、変更が通信ビームへの変更またはmmWave TP変更の少なくとも1つを含む場合に、通信ビームへの変更またはmmWave TP変更の少なくとも1つを要求する変更クエリを送信し、確認メッセージを受信するように構成するための命令を含む。プログラミングは、第1のmmWave TPが、変更に関するUE中心のクラウドセルのmmWave UEおよび第2のmmWave TPを更新するように構成するための命令が含む。
【０００８】
別の態様によれば、デジタル通信を実行するように適合されたmmWave UEが提供される。mmWave UEは、プロセッサと、プロセッサによる実行のためのプログラミングを格納するコンピュータ可読記憶媒体とを含む。プログラミングは、mmWave UEが、測定セットのmmWave TPから受信したビーム形成された基準信号の測定レポートを送信し、クラウドセルの更新された構成情報を含むクラウドセル更新を受信するように構成するための命令を含む。
【０００９】
別の態様によれば、ミリ波（mmWave）ユーザ機器（UE）を動作させる方法が提供される。この方法は、mmWave UEによって、複数のmmWave送信ポイント（TP）によって送信されるビーム形成された基準信号を測定するステップと、mmWave UEによって、測定されたビーム形成された基準信号に従って決定された最良のmmWave TPに関連するインジケータを含む測定レポートを含むクラウドセル形成要求を送信するステップと、mmWave UEによって、選択情報に従って中央コントローラによって選択された最良のmmWave TPのサブセットに関連するインジケータを含むクラウドセル形成要求応答を受信するステップであって、最良のmmWave TPのサブセットは、マスタTPとしてサービスする第1のmmWave送信ポイント（TP）およびスレーブTPとしてサービスする第2のmmWave TPを含む、ステップと、mmWave UEによって、中央コントローラによって選択された最良のmmWave TPのサブセットのmmWave TPとクラウドセルを確立するステップであって、データ接続がスレーブTPと確立され、少なくとも制御接続がマスタTPと確立される、ステップと、を含む。
【００１０】
選択的に、前述の態様のいずれかにおいて、方法は、mmWave UEによって、複数のmmWave TPによって送信されたTP特定信号を測定するステップと、mmWave UEによって、最も強い測定されたTP特定信号に関連するmmWave TPとのダウンリンク同期を確立するステップとを含む。
【００１１】
選択的に、前述の態様のいずれかにおいて、方法ではさらに、TP特定信号がブロードキャスト制御チャネル（BCCH）または同期信号のうちの少なくとも1つを含む。
【００１２】
選択的に、前述の態様のいずれかにおいて、方法ではさらに、ビーム形成された基準信号がビーム形成されたチャネル状態情報基準信号（CSI−RS）を含む。
【００１３】
選択的に、前述の態様のいずれかにおいて、方法ではさらに、ビーム形成された基準信号を測定するステップが、各mmWave TPについて、mmWave UEによって、複数の受信ビームを使用して複数のビーム形成された基準信号を測定するステップと、mmWave UEによって、mmWave TPについて最良のビーム形成された基準信号および最良の受信ビームを選択するステップと、を含む。
【００１４】
選択的に、前述の態様のいずれかにおいて、方法ではさらに、選択情報は、複数のmmWave TP、mmWave TP能力、mmWave TP負荷、mmWave UE能力、および干渉状態のための最良のビーム形成された基準信号および最良の受信ビームを含む。
【００１５】
選択的に、前述の態様のいずれかにおいて、方法ではさらに、クラウドセルを確立するステップが、mmWave UEによって、ビーム形成されたランダムアクセスチャネル（RACH）をマスタTPに送信するステップと、mmWave UEによって、マスタTPからのビーム形成されたRACH応答（RAR）を受信して、マスタTPとの制御接続を形成するステップと、mmWave UEによって、スレーブTPからビーム形成されたRARを受信するステップと、mmWave UEによって、受信されたRARのインジケータをマスタTPに送信するステップと、mmWave UEによって、マスタTPから送信パラメータのインジケータを受信するステップと、を含む。
【００１６】
選択的に、前述の態様のいずれかにおいて、方法ではさらに、複数のスレーブTPが存在し、クラウドセルを確立するステップは、複数のスレーブTPのそれぞれからビーム形成RARを受信するステップを含む。
【００１７】
選択的に、前述の態様のいずれかにおいて、方法ではさらに、クラウドセルを確立するステップが、mmWave UEによって、ビーム形成されたランダムアクセスチャネル（RACH）をマスタTPに送信するステップと、マスタTPからRARが受信されなかった場合、mmWave UEによって、RAR未受信メッセージを送信するステップと、mmWave UEによって、中央コントローラによって選択された新しいmmWave TPのセットに関連するインジケータを含む応答を受信するステップであって、新しいmmWave TPのセットは、新しいマスタTPとしてサービスする第3のmmWave TPおよび新しいスレーブTPとしてサービスする第4のmmWave TPを含む、ステップと、mmWave UEによって、中央コントローラによって選択された新しいmmWave TPのセットのmmWave TPとクラウドセルを確立するステップであって、データ接続が新しいスレーブTPと確立され、少なくとも制御接続が新しいマスタTPと確立される、ステップと、を含む。
【００１８】
選択的に、前述の態様のいずれかにおいて、方法ではさらに、測定レポートを含むクラウドセル形成要求を送信するステップが、mmWave UEによって、クラウドセル形成要求の中央コントローラへの転送をトリガするためにクラウドセル形成要求をレガシー進化型NodeB（eNB）に送信するステップを含む。
【００１９】
選択的に、前述の態様のいずれかにおいて、方法ではさらに、mmWave UEがレガシーeNBおよびマスタTPに同時に接続される。
【００２０】
別の例示的な態様によれば、中央コントローラを動作させる方法が提供される。この方法は、中央コントローラによって、mmWave TPによって送信された測定されたビーム形成された基準信号に従って決定された最良のmmWave TPに関する最良のビーム形成された基準信号および最良のmmWave TPに関連するインジケータを含む測定レポートを含むクラウドセル形成要求を受信するステップと、中央コントローラによって、最良のビーム形成された基準信号に従って最良のmmWave TPのサブセットを選択するステップであって、最良のmmWave TPのサブセットは、マスタTPとしてサービスするmmWave TPおよびスレーブTPとしてサービスするmmWave TPを含む、ステップと、中央コントローラによって、最良のmmWave TPのサブセットに関連するインジケータを含むクラウドセル形成応答を送信するステップと、を含む。
【００２１】
選択的に、前述の態様のいずれかにおいて、方法ではさらに、最良のmmWave TPのサブセットを選択するステップが、mmWave TP能力、mmWave TP負荷、mmWave UE能力、および干渉状態に従って、最良のmmWave TPのサブセットを選択するステップをさらに含む。
【００２２】
選択的に、前述の態様のいずれかにおいて、方法は、最良のmmWave TPのサブセットおよび最良のビーム形成された基準信号に従って中央データベースを更新するステップをさらに含む。
【００２３】
選択的に、前述の態様のいずれかにおいて、方法ではさらに、クラウドセル形成応答を送信するステップが、中央コントローラによって、クラウドセル形成応答のmmWaveユーザ機器（UE）への転送をトリガするためにクラウドセル形成応答をレガシー進化型NodeB（eNB）に送信するステップを含む。
【００２４】
選択的に、前述の態様のいずれかにおいて、方法は、中央コントローラによって、最良のビーム形成された基準信号に従って決定された最良の受信ビームのインジケータを、最良のmmWave TPのサブセットのmmWave TPに送信するステップをさらに含む。
【００２５】
別の例示的な態様によれば、第1のmmWave TPを動作させる方法が提供される。この方法は、第1のmmWave TPによって、mmWave UEとのアップリンク同期を実行するステップと、第1のmmWave TPによって、mmWave UEに対してビーム形成されたランダムアクセスチャネル応答（RAR）をトリガするために第2のmmWave TPからmmWave UEへの確認応答を開始するステップと、第1のmmWave TPによって、mmWave UEによって受信されたRARの数のインジケータを受信するステップと、第1のmmWave TPによって、選択された送信パラメータのインジケータをmmWave UEに送信するステップと、を含む。
【００２６】
選択的に、前述の態様のいずれかにおいて、方法ではさらに、アップリンク同期を実行するステップが、第1のmmWave TPによって、mmWave UEからビーム形成されたランダムアクセスチャネル（RACH）を受信するステップと、mmWave TPによって、ビーム形成されたRARをmmWave UEに送信するステップと、を含む。
【００２７】
選択的に、前述の態様のいずれかにおいて、方法ではさらに、ビーム形成されたRARがタイミングアドバンス情報を含む。
【００２８】
選択的に、前述の態様のいずれかにおいて、方法は、第1のmmWave TPによって、mmWave UEによって受信されたRARの数のインジケータを中央コントローラに送信するステップと、  第1のmmWave TPによって、mmWave UEによって受信されたRARの数のインジケータを第2のmmWave TPに送信するステップと、をさらに含む。
【００２９】
例示的な実施形態によれば、デジタル通信を実行するように適合されたmmWave UEが提供される。mmWave UEは、プロセッサと、プロセッサによる実行のためのプログラミングを格納するコンピュータ可読記憶媒体とを含む。プログラミングは、mmWave UEが、複数のmmWave TPによって送信されるビーム形成された基準信号を測定し、測定されたビーム形成された基準信号に従って決定された最良のmmWave TPに関連するインジケータを含む測定レポートを含むクラウドセル形成要求を送信し、選択情報に従って中央コントローラによって選択された最良のmmWave TPのサブセットに関連するインジケータを含むクラウドセル形成要求応答を受信し、最良のmmWave TPのサブセットは、マスタTPとしてサービスする第1のmmWave TPおよびスレーブTPとしてサービスする第2のmmWave TPを含み、中央コントローラによって選択された最良のmmWave TPのサブセットのmmWave TPとクラウドセルを確立し、データ接続がスレーブTPと確立され、少なくとも制御接続がマスタTPと確立される、ように構成するための命令を含む。
【００３０】
選択的に、前述の態様のいずれかにおいて、プログラミングは、複数のmmWave TPによって送信されたTP特定信号を測定し、最も強い測定されたTP特定信号に関連するmmWave TPとのダウンリンク同期を確立するための命令をさらに含む。
【００３１】
選択的に、前述の態様のいずれかにおいて、プログラミングは、各mmWave TPについて、複数の受信ビームを使用して複数のビーム形成された基準信号を測定し、mmWave TPについて最良のビーム形成された基準信号および最良の受信ビームを選択するための命令をさらに含む。
【００３２】
選択的に、前述の態様のいずれかにおいて、プログラミングは、ビーム形成されたランダムアクセスチャネル（RACH）をマスタTPに送信し、マスタTPからのビーム形成されたRACH応答（RAR）を受信して、マスタTPとの制御接続を形成し、スレーブTPからビーム形成されたRARを受信し、受信されたRARのインジケータをマスタTPに送信し、マスタTPから送信パラメータのインジケータを受信するための命令をさらに含む。
【００３３】
選択的に、前述の態様のいずれかにおいて、プログラミングは、ビーム形成されたランダムアクセスチャネル（RACH）をマスタTPに送信し、マスタTPからRARが受信されなかった場合、RAR未受信メッセージを送信し、中央コントローラによって選択された新しいmmWave TPのセットに関連するインジケータを含む応答を受信し、新しいmmWave TPのセットは、新しいマスタTPとしてサービスする第3のmmWave TPおよび新しいスレーブTPとしてサービスする第4のmmWave TPを含み、中央コントローラによって選択された新しいmmWave TPのセットのmmWave TPとクラウドセルを確立し、データ接続が新しいスレーブTPと確立され、少なくとも制御接続が新しいマスタTPと確立される、ための命令をさらに含む。
【００３４】
選択的に、前述の態様のいずれかにおいて、プログラミングは、クラウドセル形成要求の中央コントローラへの転送をトリガするためにクラウドセル形成要求をレガシー進化型NodeB（eNB）に送信するための命令をさらに含む。
【００３５】
例示的な態様によれば、デジタル通信を実行するように適合された中央コントローラが提供される。中央コントローラは、プロセッサと、プロセッサによる実行のためのプログラミングを格納するコンピュータ可読記憶媒体とを含む。プログラミングは、中央コントローラが、mmWave TPによって送信された測定されたビーム形成された基準信号に従って決定された最良のmmWave TPに関する最良のビーム形成された基準信号および最良のmmWave TPに関連するインジケータを含む測定レポートを含むクラウドセル形成要求を受信し、最良のビーム形成された基準信号に従って最良のmmWave TPのサブセットを選択し、最良のmmWave TPのサブセットは、マスタTPとしてサービスするmmWave送信ポイント（TP）およびスレーブTPとしてサービスするmmWave TPを含み、最良のmmWave TPのサブセットに関連するインジケータを含むクラウドセル形成応答を送信する、ように構成するための命令を含む。
【００３６】
選択的に、前述の態様のいずれかにおいて、プログラミングは、mmWave TP能力、mmWave TP負荷、mmWave UE能力、および干渉状態に従って、最良のmmWave TPのサブセットを選択するための命令をさらに含む。
【００３７】
選択的に、前述の態様のいずれかにおいて、プログラミングは、クラウドセル形成応答のmmWaveユーザ機器（UE）への転送をトリガするためにクラウドセル形成応答をレガシー進化型NodeB（eNB）に送信するための命令をさらに含む。
【００３８】
選択的に、前述の態様のいずれかにおいて、プログラミングは、最良のビーム形成された基準信号に従って決定された最良の受信ビームのインジケータを、最良のmmWave TPのサブセットのmmWave TPに送信するための命令をさらに含む。
【００３９】
例示的な態様によれば、デジタル通信を実行するように適合された第1のmmWave TPが提供される。第1のmmWave TPは、プロセッサと、プロセッサによる実行のためのプログラミングを格納するコンピュータ可読記憶媒体とを含む。プログラミングは、第1のmmWave TPが、mmWave UEとのアップリンク同期を実行し、第2のmmWave TPからmmWave UEへの確認応答を開始して、mmWave UEに対してビーム形成されたRARをトリガし、mmWave UEによって受信されたRARの数のインジケータを受信し、選択された送信パラメータのインジケータをmmWave UEに送信するように構成するための命令を含む。
【００４０】
選択的に、前述の態様のいずれかにおいて、プログラミングは、mmWave UEからビーム形成ランダムアクセスチャネル（RACH）を受信し、ビーム形成されたRARをmmWave UEに送信するための命令をさらに含む。
【００４１】
選択的に、前述の態様のいずれかにおいて、プログラミングは、mmWave UEによって受信されたRARの数のインジケータを中央コントローラに送信し、mmWave UEによって受信されたRARの数のインジケータを第2のmmWave TPに送信するための命令をさらに含む。
【００４２】
前述の態様の実施は、動的環境におけるmmWave動作を改善するためのmmWave UE中心のクラウドセルの形成を可能にする。
【００４３】
さらに、実施形態の実施は、低レイテンシを有するmmWave UE中心のクラウドセルの動的適応を可能にする。
本開示のより完全な理解およびその利点のために、添付の図面と併せて以下の説明が参照される。
【図面の簡単な説明】
【００４４】
【図１】本明細書に記載の例示的な実施形態による例示的な無線通信システムを示す図である。
【図２】本明細書に記載の例示的な実施形態による例示的なレガシー通信システムを示す図である。
【図３】3GPP LTEリリース11の協調マルチポイント（COMP）送信の4つの異なる配備シナリオを示す図である。
【図４】本明細書に記載の例示的な実施形態による通信システムにおけるTPのカバレッジエリアに大きな重なりを有する例示的な通信システムを示す図である。
【図５】本明細書に記載の例示的な実施形態によるmmWave通信システムオーバレイを有するマクロセルレガシー通信システムを含む例示的な通信システムの一部を示す図である。
【図６】本明細書に記載の例示的な実施形態による異なるタイプのデバイスを強調する例示的な通信システムを示す図である。
【図７Ａ】本明細書に記載の例示的な実施形態によるmmWave UE中心のクラウドセルの形成において生じるメッセージ交換および処理を強調する図である。
【図７Ｂ】本明細書に記載の例示的な実施形態によるmmWave UE中心のクラウドセルの形成において生じるメッセージ交換および処理を強調する図である。
【図７Ｃ】本明細書に記載の例示的な実施形態によるmmWave UE中心のクラウドセルの形成において生じるメッセージ交換および処理を強調する図である。
【図８】本明細書に記載の例示的な実施形態によるmmWave UE中心のクラウドセルの形成に関与するmmWave UEにおいて生じる例示的な動作のフロー図である。
【図９】本明細書に記載の例示的実施形態によるmmWave UE中心のクラウドセルの形成に関与するレガシーeNBにおいて生じる例示的な動作のフロー図である。
【図１０】本明細書に記載の例示的な実施形態によるmmWave UE中心のクラウドセルの形成に関与する中央コントローラにおいて生じる例示的な動作のフロー図である。
【図１１】本明細書に記載の例示的な実施形態によるmmWave UE中心のクラウドセルの形成に関与するマスタTPにおいて生じる例示的な動作のフロー図である。
【図１２】本明細書に記載の例示的な実施形態によるmmWave UE中心のクラウドセルの形成に関与するスレーブTPにおいて生じる例示的な動作のフロー図である。
【図１３Ａ】本明細書に記載の例示的な実施形態によるmmWave UEがマスタTPからRARを受信しない状況を処理するための実施形態の技術を強調する、mmWave UE中心のクラウドセルの形成において生じるメッセージ交換および処理を強調する図である。
【図１３Ｂ】本明細書に記載の例示的な実施形態によるmmWave UEがマスタTPからRARを受信しない状況を処理するための実施形態の技術を強調する、mmWave UE中心のクラウドセルの形成において生じるメッセージ交換および処理を強調する図である。
【図１３Ｃ】本明細書に記載の例示的な実施形態によるmmWave UEがマスタTPからRARを受信しない状況を処理するための実施形態の技術を強調する、mmWave UE中心のクラウドセルの形成において生じるメッセージ交換および処理を強調する図である。
【図１３Ｄ】本明細書に記載の例示的な実施形態によるmmWave UEがマスタTPからRARを受信しない状況を処理するための実施形態の技術を強調する、mmWave UE中心のクラウドセルの形成において生じるメッセージ交換および処理を強調する図である。
【図１４】本明細書に記載の例示的な実施形態による3GPP LTE準拠の通信システムにおける測定セットの例を示す図である。
【図１５Ａ】本明細書に記載の例示的な実施形態によるフィードバックおよびシグナリングを強調する、mmWave UE中心のクラウドセルの管理において生じるメッセージ交換および処理を強調する図である。
【図１５Ｂ】本明細書に記載の例示的な実施形態によるフィードバックおよびシグナリングを強調する、mmWave UE中心のクラウドセルの管理において生じるメッセージ交換および処理を強調する図である。
【図１６】本明細書に記載の例示的な実施形態によるmmWave UE中心のクラウドセルの管理に関与するmmWave UEにおいて生じる例示的な動作のフロー図である。
【図１７】本明細書に記載の例示的な実施形態によるmmWave UE中心のクラウドセルの管理に関与するマスタTPにおいて生じる例示的な動作のフロー図である。
【図１８Ａ】本明細書に記載の例示的な実施形態によるmmWave UE中心のクラウドセルのマスタTPの変更において生じる第1の例示的なメッセージ交換および処理を強調する図である。
【図１８Ｂ】本明細書に記載の例示的な実施形態によるmmWave UE中心のクラウドセルのマスタTPの変更において生じる第1の例示的なメッセージ交換および処理を強調する図である。
【図１９】本明細書に記載の例示的な実施形態によるmmWave UE中心のクラウドセルのマスタTPの変更において生じる第2の例示的なメッセージ交換および処理を強調する図である。
【図２０Ａ】本明細書に記載の例示的な実施形態による測定レポートを送信するmmWave UEにおいて生じる例示的な動作のフロー図である。
【図２０Ｂ】本明細書に記載の例示的な実施形態によるマスタTP変更に関与するmmWave UEにおいて生じる例示的な動作のフロー図である。
【図２１】本明細書に記載の例示的な実施形態によるマスタTP変更に関与するマスタTPにおいて生じる例示的な動作のフロー図である。
【図２２】本明細書に記載の例示的な実施形態によるマスタTP変更が通知される中央コントローラにおいて生じる例示的な動作のフロー図である。
【図２３】本明細書に記載の例示的な実施形態による、非スレーブmmWave TPがマスタTPになるときのマスタTP変更に関与する中央コントローラにおいて生じる例示的な動作のフロー図である。
【図２４Ａ】本明細書に記載の例示的な実施形態による、mmWave UEが、mmWave UE中心のクラウドセル再形成の後に、同じ中央コントローラによってサービスされたままである、mmWave UE中心のクラウドセルの再形成において生じるメッセージ交換および処理を強調する図である。
【図２４Ｂ】本明細書に記載の例示的な実施形態による、mmWave UEが、mmWave UE中心のクラウドセル再形成の後に、同じ中央コントローラによってサービスされたままである、mmWave UE中心のクラウドセルの再形成において生じるメッセージ交換および処理を強調する図である。
【図２５】本明細書に記載の例示的な実施形態による、mmWave UEが、複数のレガシーeNBカバレッジエリアに及ぶmmWave TPを有するmmWave UE中心のクラウドセルによってサービスされる通信システムを示す図である。
【図２６】本明細書に記載の方法を実行するための実施形態の処理システムのブロック図である。
【図２７】本明細書に記載の例示的な実施形態による電気通信ネットワークを介してシグナリングを送受信するように適合されたトランシーバのブロック図である。
【発明を実施するための形態】
【００４５】
現行の例示的な実施形態の動作およびその構造は、以下で詳細に説明される。しかしながら、本開示は、多種多様な特定の状況において実現され得る多くの適用可能な発明概念を提供することを理解されたい。説明された特定の実施形態は、実施形態の特定の構造および本明細書に開示された実施形態を動作させる方法の単なる例示に過ぎず、本開示の範囲を限定するものではない。
【００４６】
一実施形態は、ミリ波（mmWave）通信のためのシステムおよび方法に関する。例えば、mmWave UEが、複数のmmWave送信ポイント（TP）によって送信されるビーム形成された基準信号を測定し、測定されたビーム形成された基準信号に従って決定された最良のmmWave TPに関連するインジケータを含むクラウドセル形成要求を送信し、選択情報に従って中央コントローラによって選択された最良のmmWave TPのサブセットに関連するインジケータを含むクラウドセル形成要求応答を受信し、最良のmmWave TPのサブセットは、マスタTPとしてサービスする第1のmmWave送信ポイント（TP）およびスレーブTPとしてサービスする第2のmmWave TPを含み、中央コントローラによって選択された最良のmmWave TPのサブセットのmmWave TPとクラウドセルを確立し、データ接続がスレーブTPと確立され、少なくとも制御接続がマスタTPと確立される。
【００４７】
実施形態は、具体的な文脈における例示的な実施形態、すなわち通信システムに関して説明される。この実施形態は、第3世代パートナーシッププロジェクト（3GPP）、IEEE802．11などに準拠する通信システムや、技術標準、および非標準準拠の通信システムのような、標準に準拠する通信システムに適用され得る。
【００４８】
図1は、例示的な無線通信システム100を示している。通信システム100は、UE110、UE112、およびUE114などの複数のユーザ機器（UE）にサービスする進化型NodeB（eNB）105を含む。第1の動作モードでは、UEのための送信とUEによる送信とがeNBを通過する。eNBは、UEへのまたはUEからの送信のためのネットワークリソースを割り当てる。eNBは、一般に、基地局、NodeB、遠隔無線ヘッド、またはアクセスポイントなどと呼ばれてもよく、UEは、一般に、移動体、移動局、端末、加入者、ユーザ、局などと呼ばれてもよい。1つまたは複数のUEにサービスしている基地局（またはeNB、NodeB、遠隔無線ヘッド、アクセスポイント、送信ポイントなど）は、サービング基地局（SBS）と呼ばれてもよい。送信ポイントは、送信可能な任意のデバイスを指すために使用されてもよい。したがって、送信ポイントは、eNB、基地局、NodeB、遠隔無線ヘッド、アクセスポイント、UE、移動体、移動局、端末、加入者、ユーザなどを指すことができる。
【００４９】
通信システムは、いくつかのUEと通信することができる複数のeNBを使用することができると理解されるが、簡略化のために、1つのeNBのみといくつかのUEが示されている。
【００５０】
セルは、eNBのカバレッジエリアを指す一般的に使用される用語である。典型的には、セルは、eNBのセクタ化されたアンテナの1つまたは複数のセクタによってサービスされる。したがって、eNBのカバレッジエリアは、複数のセクタに分割されたセルを含む。例示的な一例として、eNBが3セクタアンテナシステムを使用するシナリオでは、eNBのセルは3つのセクタに分割され、各セクタは別々のアンテナ（例えば、ビーム幅が120度）または全アンテナシステムの別個の部分によってカバーされてもよい。別の例示的な一例として、eNBが6セクタアンテナシステム（例えば、各アンテナが60度のセクタをカバーすることができる）を使用するシナリオでは、eNBのセルは6つのセクタまたは3つのセクタに分割されてもよく、各セクタは、1つまたは2つのアンテナまたはアンテナシステムの部分セクタによってそれぞれカバーされている。
【００５１】
図2は、例示的なレガシー通信システム200を示している。レガシー通信システム200は、レガシーeNB205、レガシーeNB207、およびレガシーeNB209のような複数のレガシーeNBを含む。各レガシーeNBは、対応するカバレッジエリアを有する。例えば、レガシーeNB205はカバレッジエリア210を有し、レガシーeNB207はカバレッジエリア212を有し、レガシーeNB209はカバレッジエリア214を有する。レガシーeNBは、対応するカバレッジエリアで動作しているUEにサービスする（例えば、レガシーeNB205がUE215にサービスする）。カバレッジエリアは六角形で示されているが、それぞれの伝搬環境に応じて、各レガシーeNBのカバレッジエリアは不規則な形状であってもよい。
【００５２】
協調マルチポイント（COMP）送信は、3GPPロングタームエボリューション（LTE）リリース11で導入された。COMP送信では、複数のTPがデータを調整してUEに送信する。図3は、3GPP LTEリリース11におけるCOMP送信のための4つの異なる配備シナリオ300を示している。シナリオ1 305は同種ネットワークのサイト内コラボレーションをカバーし、シナリオ2 320は同種ネットワークのサイト間コラボレーションをカバーする。シナリオ3 340および4 360はHetNetsをカバーする。シナリオ4 360は、遠隔無線ヘッド（RRH）がレガシーTP（レガシーeNBまたは高電力TP）と同じセルIDを有し、高電力TPのための分散アンテナのセットを形成するので特殊なケースである。チャネル状態情報基準信号（CSI−RS）、復調基準信号（DMRS）などの共通制御信号を有効にするために、仮想セルIDが導入された。異なるTPに設定されたCOMP測定におけるUEからのレポートを可能にするために、複数のCSI−RSレポートプロセスおよび干渉測定リソース（IMR）が3GPP LTE Release−11に導入された。
【００５３】
図4は、通信システム400におけるTPのカバレッジエリアに大きな重なりを有する例示的な通信システム400を示している。一般に、COMP（特にCOMPシナリオ4 360）の拡張である通信システム400は、以前の通信システムよりもはるかに大きく互いに重なるカバレッジエリアを有するTPを含む。図4に示すように、TP1 405は、TP2 410、TP3 415、TP4 425などの隣接するTPのカバレッジエリアの外縁に配置されている。通信システム400は、協調動作に関係するUEの潜在的な数（COMP測定セット内のUEの数）を増加させる。従来のCOMPの場合と同様に、TP間の低レイテンシ接続が必要である。通常、このような高度の重なりでは、UE420などの各UEは、従来のシステムに比べて、TP1 405、TP3 415、およびTP4 425などのより高い信号対雑音比（SNR）を有する複数の空間的に分離されたTPに接続され得る。空間的に分離されたTPに対するより高いSNR接続は、分散入力分散出力（DIDO）のような分散多入力多出力（MIMO）技術を可能にすることができる。
【００５４】
通信システム400のような、TPのカバレッジエリアに大きな重なりを有する通信システムは、TP間の低レイテンシ大容量リンクに大きく依存する。大きな重なりを有する通信システムは、従来のレガシー通信システムよりもエネルギー効率が低いかもしれないが、エネルギー効率は、負荷のない（または低負荷）TPがスリープモードに置かれたときに実現され得る。TPのカバレッジエリアに大きな重なりを有する通信システムの概念は、通信システムのカバレッジエリアを移動する際に接続されたTPのセット（本明細書ではUEクラウドと呼ぶ）がUEに追従することができるので、UEセル中心のクラウドセルまたはUEクラウドセルの考え方によく適合する。TPは、通信システムを介して移動するUEに動的に割り当てられる中央コントローラとして機能することができる。
【００５５】
レガシー通信システムと比較して増大した容量を達成するために、UEクラウド（または接続されたTPのセット）は、特定のUEへの高いSNR接続を有するTPから形成され、協調スケジューリングおよび／または協調ビーム形成（各TPからのビーム形成）、ダイナミックポイント選択および／またはDIDOの意味でのすべてのTPからのブランキングまたはジョイントビーム形成を実行することができる。例示的な一例として、TP405、TP415、およびTP425は、UE420のためのUEクラウドを形成する。
【００５６】
ミリ波（mmWave）通信システムは、対応する電磁波の波長がミリメートルオーダである周波数範囲で動作し、約30GHz以上の周波数に変換される通信システムである。他の通信システムは、対応する電磁波の波長がセンチメートルオーダである周波数範囲（このような通信システムはcmWave通信システムと呼ばれることがある）で動作し、約3GHz以上の周波数に変換される。mmWave通信システムと同様に、cmWave通信システムは、通常、脆弱な通信リンクを有し、固定または移動するオブジェクトによって容易にブロックされる。
【００５７】
この議論は、本明細書のmmWave通信システムおよびデバイスに集中しているが、本明細書に提示される例示的な実施形態は、ビーム形成が使用される任意の周波数で動作する無線通信システムで動作可能である。したがって、mmWave通信システムの議論は、例示的な実施形態の範囲または趣旨のいずれかに限定するものとして解釈されるべきではない。
【００５８】
リンクの脆弱性を克服するのを助けるために提案された従来技術は、mmWave送信ポイント（TP）の数が十分に多い超高密度のmmWave通信システムを含み、このため、各UEが複数の空間的に分離されたTPに同時に接続する可能性を有する。したがって、1つまたは複数の通信リンクがブロックされていても、UEは依然として1つまたは複数のブロックされていない通信リンクを有することがあり、それによって接続性が維持される。
【００５９】
例示的な実施形態によれば、TPのカバレッジエリアに大きな重なりを有する通信システムは、レガシー通信システムおよびmmWave通信システムの両方を含む。mmWave通信システムは、レガシー通信システムをオーバレイする。レガシーUEはレガシー通信システムの一部であるレガシーeNBによってサービスされ、一方、mmWave UEはレガシー通信システムのレガシーeNBおよびmmWave通信システムのmmWave TPによってサービスされる。言い換えれば、mmWave UEはUEクラウドによってサービスされる。UEクラウド（レガシーeNBおよびmmWave TP）によって提供される固有の空間ダイバーシティは、実質的に、mmWave UE接続へのTPの信頼性を大幅に向上させ、ブロックされたパス（リンクの脆弱性）から保護する。このような通信システムに必要とされるTP間の低レイテンシ大容量リンクは、例えば、mmWave帯域などの帯域内シグナリングを使用して実装され得る。レガシー通信システムとmmWave通信システムの両方で動作可能にするために、mmWave UEはレガシートランシーバとmmWaveトランシーバを有する。
【００６０】
mmWave UEは、デュアル接続性（制御プレーンとデータプレーンのスプリット）を有し、これは、mmWave UEが異なるTP（例えば、レガシーeNBおよび／またはmmWave TP）から制御情報およびデータを受信することができることを意味する。一例として、mmWave UEは、mmWave TPとのデータプレーン接続性およびレガシーeNBとの制御プレーン接続性を有する。あるいは、mmWave UEは、mmWave TPとのデータプレーン接続性、ならびにレガシーeNBとのデータプレーンおよび制御プレーン接続性を有する。あるいは、mmWave UEは、mmWave TPとのデータプレーンおよび制御プレーン接続性、ならびにレガシーeNBとのデータプレーンおよび制御プレーン接続性を有する。あるいは、mmWave UEは、mmWave TPとのデータプレーンおよび制御プレーン接続性、ならびにレガシーeNBとのデータプレーン接続性を有する。
【００６１】
図5は、mmWave通信システムオーバレイを有するマクロセルレガシー通信システムを含む例示的な通信システム500の一部を示している。マクロセルレガシー通信システムは、複数のフルパワーマクロeNBを含むが、マクロセルレガシー通信システムのマクロeNB505のみが示されている。マクロセルeNB505は、カバレッジエリア507を有する。mmWave通信システムは、TP510（マクロeNB505の近くに位置するか、またはマクロeNB505と同じ場所にある）、TP512、TP514、TP516、TP518、TP520、およびTP522などの複数のmmWave TPを含む。
【００６２】
図5には、mmWave UE525、mmWave UE527、およびmmWave UE529などのmmWave UEも示されている。例示的な一例として、mmWave UE525は、mmWave TP510、mmWave TP514、およびmmWave TP516からデータを受信し、mmWave TP516から制御情報を受信する。同様に、mmWave UE527は、mmWave TP510、mmWave TP512、およびmmWaveTP522からデータを受信し、マクロeNB505またはmmWave TP510から制御情報を受信する。一方、mmWave UE529は、mmWave TP510およびmmWave TP518からデータを受信し、mmWave TP518から制御情報を受信する。
【００６３】
mmWave UE中心セルは、周囲のTPのセット（mmWave UE中心セルを形成する）が単一のTPであるかのように、各mmWave UEが周囲のTPのセットを見る仮想的な意味で定義されることができる。そのような状況における周囲のTPのセットは、mmWave UE中心仮想セルと呼ばれることがある。このような定義によれば、仮想セル識別子、ならびにmmWave UE中心仮想セルに関連した対応する仮想制御信号および基準信号が存在し得る。このような定義の使用は、1つのCSI−RSプロセスを用いて周囲のTPのセット（mmWave UE中心仮想セル）への情報のフィードバックを可能にする。あるいは、mmWave UE中心セルは、非仮想的な意味で定義されてもよい。そのような状況では、mmWave UEは、周辺のTPのセット内のTPを異なるTPとして見る。この状況における周囲のTPのセットは、mmWave UE中心のクラウドセルと呼ばれることがある。
【００６４】
例示的な実施形態によれば、mmWave通信は、各TPからビーム形成が実行されることを必要とするので、実施形態の通信システムでは、マルチポイントmmWave送信の異なる場合、すなわち、
空間的に分離されているが接続されたTPが、同じデータをUEに送信し、その結果、空間ダイバーシティによってロバスト性が向上する；
空間的に分離されているが接続されたTPが、異なるデータをUEに送信し、その結果、分散MIMOによってデータレートが向上する、
場合が可能である。
【００６５】
例示的な実施形態によれば、mmWave UEは、レガシー通信システム（例えば、3GPP LTE準拠）およびビーム形成を使用するmmWave通信システムの両方のためのトランシーバを有する。制御プレーンとデータプレーンは2つの通信システムに分割されている。
【００６６】
例示的な実施形態によれば、関連する測定および管理手順とともに、2つの制御プレーンが提供される。第1の制御プレーンは、mmWave UEとmmWave TPとを接続して高速ではあるが脆弱な接続性を提供し、第2の制御プレーンは、mmWave UEとレガシーeNBとを接続して、低速ではあるがロバストな接続性を提供する。関連手順により、mmWave UE中心のクラウドセルの初期形成、ならびにmmWave UE中心のクラウドセルの管理（すなわち、スケジューリング、維持、および更新）が可能になる。mmWave UE中心のクラウドセルの初期形成に関連する手順は、UEがCSI−RS測定をどのように行うかを指定し、mmWave UE中心のクラウドセルに形成される（例えば、ビーム方向を指定することによって）mmWave TPのセットを要求する。この手順ではまた、mmWave UE中心のクラウドセルが確立される前に、中央コントローラがどのように要求を処理するか（例えば、干渉および／またはリソースの問題を検査する）を指定する。アップリンクビーム形成同期技術（ランダムアクセスチャネル（RACH）プロセスまたは他の方法を用いる）もまた指定される。mmWave UE中心のクラウドセルの管理に関連する手順は、測定およびフィードバックがレイテンシを低減するために処理される方法を指定する。
【００６７】
例示的な実施形態を、以下の点を考慮して説明する。
mmWave通信システムの数値計算は、2つの通信システム間の同期測定報告を保証するために、レガシー通信システムの整数倍である。言い換えれば、固定数のmmWaveサブフレーム×mmWaveサブフレームの持続時間は、レガシーサブフレーム持続時間に等しい。mmWave通信システムのガードインターバルは、1つのリンク方向（アップリンクまたはダウンリンクのいずれか）で、サービス可能なmmWave TPとの最大タイミング差よりも長い。mmWave通信システムのガードインターバルオーバヘッドが多くなりすぎるため、ガードインターバルが往復伝播遅延よりも長いとは仮定されていない。したがって、各mmWave UEは、単に、各リンク方向で最も近いTPおよび／または最も強いTPに自身を同期させる必要があり、
mmWave TPは時刻同期され；
mmWave TPとレガシーeNBは、光ファイバ、mmWave、またはmmWaveなどをベースにした次世代フロントホールインタフェース（NGFI）などの大容量の低レイテンシリンクを使用して接続される。
【００６８】
図6は、異なるタイプのデバイスを強調する例示的な通信システム600を示している。通信システム600は、TPのカバレッジエリアにある程度の重なりを有する通信システムの一例であってもよい。通信システム600は、レガシー通信システムおよびmmWave通信システムの両方を含む。通信システム600は、mmWave UE605を含む。通信システム600はまた、中央コントローラ610およびレガシーeNB615を含む。中央コントローラ610は、レガシーeNB615を介してmmWave UE605へのロバスト制御接続を有する。中央コントローラ610は、mmWave UE605のためのmmWave UE中心のクラウドセル620を形成し管理するのを助けることができる。中央コントローラ610は、各mmWave UE中心のクラウドセルに対してどのmmWave TPが使用されるかを（要求されたmmWave TPおよびmmWave UEによってシグナリングされた通信ビーム、ならびにmmWave TPの状態（負荷、信頼性、mmWave TPの干渉状態など）に従って）決定することができる。
【００６９】
mmWave UE中心のクラウドセル620は、マスタTP625と、スレーブTP627、スレーブTP629、スレーブTP631などのスレーブTPのセットとを含む。マスタTP625は、変調符号化方式（MCS）変更などのローカルスケジューリング問題を決定し、（レガシーeNB615とのロバスト制御接続よりも速い）高速制御チャネルを提供することができる。高速制御チャネルは、（例えば、ビーム形成されたCSI−RSからの）測定フィードバック、好ましいビーム方向更新に、またはスレーブTPのセットを変更する必要がある場合に使用され得る。スレーブTPのセットは、分散MIMOを介して空間ダイバーシティまたは増加したデータレートを可能にするデータ接続を提供する。スレーブTPのセットは、チャネル状態が変化するとき、またはmmWave UE605が通信システム600の周りを移動するときに、マスタTPの役割を動的に割り当てることができる。
【００７０】
通信システム600は、mmWave TP633を含むmmWave UE中心のクラウドセル620の一部ではない他のmmWave TPも含む。図6に示されるように、他のmmWave TPは、mmWave UE中心のクラウドセル620の一部ではないが、いくつかが後にmmWave UE中心のクラウドセル620の一部となってもよく、または、過去にmmWave UE中心のクラウドセル620の一部であったとしてもよい。
【００７１】
図7A〜7Cは、mmWave UE中心のクラウドセルの形成において生じるメッセージ交換および処理を強調する図700である。図700は、レガシーeNB705、マスタTP710、1つまたは複数のスレーブTP（例えば、TP2 715およびTPN717）、mmWave UE720、および中央コントローラ725において生じるメッセージ交換および処理を示している。
【００７２】
mmWave UE中心のクラウドセルの形成は、mmWave UE720がレガシーeNB705に接続するときに開始することができる（イベント730）。レガシーeNB705との接続は、3GPP LTE技術標準で規定されているような通常の手順を使用して行われてもよい。mmWave UE720は、レガシーeNB705に、mmWave UE720のmmWave能力を通知するメッセージをレガシーeNB705に送信する（イベント732）。mmWave UE720のmmWave能力は、いくつかの送信チャネル、いくつかの受信チャネルなどを含むことができる。レガシーeNB705は、レガシーeNB705のカバレッジエリア内のmmWave TPの構成をシグナリングするメッセージを、mmWave UE720を含むmmWave UEに送信する（イベント734）。この構成は、mmWave UE720、ならびにレガシーeNB705のカバレッジエリアで動作する他のmmWave UEへのユニキャストであってもよい。mmWave TPの構成は、ビーム形成されたBCCH、同期チャネル、基準信号構成（CSI−RSなど）などを含むことができる。各mmWave TPは、独自の干渉のないビーム形成基準（例えば、同期基準信号、チャネル状態情報基準信号など）および制御信号を有する。この構成はまた、通信ビームのサーチスペースを減少させる相対的なmmWave TP位置情報を含むことができる。
【００７３】
この構成によれば、mmWave UE720は、mmWave TPによって行われた送信を測定し、最も強いmmWave TPを決定する（ブロック736）。例示的な一例として、mmWave UE720は、mmWave TPの各々によって送信されるブロードキャスト制御チャネル（BCCH）を測定する。mmWave UE720は、ダウンリンクにおいて、測定された送信に従って選択された最も強いmmWave TPと同期する（イベント738）。mmWave UE720は、時間と周波数の両方において最も強いmmWave TPと同期し、最も強いmmWave TPはマスタTP710になる。mmWave UE720は、近くのmmWave TPのそれぞれからビーム形成されたCSI−RSを受信する（イベント740〜742）。mmWave UE720は、様々な受信通信ビームを使用して、近くのmmWave TPからのビーム形成されたCSI−RSを測定し、mmWave TPごとに最良の送信および受信通信ビーム対を決定する。mmWave UE720は、各mmWave TPについて最良のビーム（または最良のビームセット）に対応するインデックスを記録する。
【００７４】
mmWave UE720は、mmWave TPのセットのレポートを伴うメッセージをレガシーeNB705に送信する（イベント744）。mmWave 720はまた、mmWave UE中心のクラウドセル形成要求を送信する（これもイベント744）。あるいは、mmWave TPのセットのレポートは、例えば、要求であることを示すフラグを有する、mmWave UE中心のクラウドセル形成要求としての役割を果たすことができる。mmWave TPのセットのレポートは、mmWave TPのセットの各mmWave TP、およびmmWave TPのセットの各TPのCQIについて、最良の送信および受信通信ビームペアのビームインデックスを含むことができる。mmWave TPのセットのレポートは、好ましいmmWave TP（識別子付き）のセットならびにビームおよびCQIのそれぞれのセットの表示を含むことができる。好ましいmmWave TPのセットは、mmWave UE720がいつでも受信することができる通信ビームの数よりも多くのmmWave TPを含むことができることに留意されたい。mmWave UE720は、（例えば、イベント734で送信されたCSI−RS構成を介して）ビーム形成されたCSI−RS信号の周期性に精通しているので、mmWave UE720は、好ましいmmWave TPのセットがあまりにも急速に変化していること、またはmmWave UE720の現在のモビリティが（CSI−RS周期性と比較して）高すぎることを判断することができ、したがって、信頼性のあるmmWave通信を維持できない可能性があるので、mmWave UE720は、mmWave TPのセットのレポートをレガシーeNB705に送信しないことを選択することができる。したがって、mmWave UE720は、mmWave接続性が実現可能かどうかを判断することができる。レガシーeNB705は、レポートを中央コントローラ725に転送する（イベント746）。mmWave TP710〜717は、TP能力と負荷情報を中央コントローラ725に報告する（イベント748）。mmWave TP710〜717によるレポートは、大容量の低レイテンシリンクでシグナリングされ得る。
【００７５】
中央コントローラ725は、mmWave UE720のmmWave TPのセット、すなわちmmWave UE中心のクラウドセルのmmWave TPのセットを決定する（ブロック750）。例示的な一例として、中央コントローラ725は、中央データベースを参照し、選択情報（すなわち、要求された通信ビーム、mmWave TP能力、mmWave TP負荷情報、mmWave UE能力、干渉状態など）を考慮することによって、mmWave TPのセットを決定することができる。中央コントローラ725は、mmWave TPのセットに関する情報をレガシーeNB705にシグナリングする（イベント752）。レガシーeNB705は、mmWave UE720にmmWave TPのセットについて通知する（イベント754）。中央コントローラ725は、mmWave UE720のために、特にmmWave UEからのビームRACHを後で受信するために、mmWave TPのセット内のmmWave TPを準備してシグナリングする（イベント756）。中央コントローラ725は、イベント744の各TPについて各UEによって報告された最良ビームインデックスに基づいて、mmWave TPに送信および受信通信ビームインデックス情報を含む情報をシグナリングすることができる。この情報は、TPがUEからビーム形成されたRACHをより効果的に受信することを可能にする。シグナリングは、大容量の低レイテンシリンク上で発生してもよい。
【００７６】
mmWave UE720は、ビーム形成されたアップリンク同期手順を開始する（ブロック758）。ビーム形成されたアップリンク同期手順は、mmWave UE720がマスタTP710でビーム形成されたRACHを開始することを含むことができる（イベント760）。ビーム形成されたRACHは、mmWave UE720がアップリンク送信電力を決定し、マスタTP710とのアップリンク同期を確立する結果となり得る。マスタTP710は、ビーム形成されたRACH応答（RAR）をmmWave UE720に送信する（イベント762）。マスタTP710は、必要に応じて、タイミングアドバンス情報をmmWave UE720に送信してもよい。万一、中央コントローラ725が最も強いmmWave TPをmmWave UE中心のクラウドセルに割り当てない場合、mmWave UE720は、中央コントローラ725によって割り当てられたマスタTPと最初に同期し（これはmmWave UE720によって検出される最も強いmmWave TPとは異なる）、CSI−RS測定を再度繰り返し、メッセージ744の元の要求に類似し得る内容の修正されたCSI−RS測定レポートを用いて、mmWave UE中心のクラウドセル形成要求を繰り返すことができる。
【００７７】
UEからのビーム形成されたRACH（イベント760）がマスタTP710によって首尾よく受信された場合、マスタTP710は、ビーム形成されたRARを介して成功した受信を確認し（イベント762）、例えば、イベント744からのメッセージで受信された、UEからのそれらの報告されたCQI値の順番で、mmWave TPのセットのスレーブTPからの確認応答を開始する。マスタTP710は、スレーブTP715からの確認応答を開始する（イベント764）。スレーブTP715は、ビーム形成されたRARをmmWave UE720に送信する（イベント766）。マスタTP710は、スレーブTP717からの確認応答を開始する（イベント768）。スレーブTP717はビーム形成されたRARをmmWave UE720に送信する（イベント770）。mmWave UE720は、スレーブTPから受信したRARについて、マスタTP710に通知する（イベント772）。マスタTP710は、mmWave UE720によって受信されたRARについて、レガシーeNB705（イベント774および776）ならびにスレーブTP（イベント774）を介して中央コントローラ725に通知する。中央コントローラ725は、mmWave UE720によって受信されたRARについて受信された情報に基づいて中央データベースを更新する。中央コントローラ725は、mmWave UE中心のクラウドセル動作、関連する通信ビームなどに割り当てられたTPのリストを更新することができる（イベント778）。
【００７８】
マスタTP710は、送信フォーマットまたはパラメータに関する情報をmmWave UE720にシグナリングする（イベント780）。送信フォーマットまたはパラメータは、物理ダウンリンク制御チャネル（PDCCH）上でシグナリングされるダウンリンク制御情報（DCI）を含むことができる。異なるTP（マスタTP710およびスレーブTP）は、同じまたは異なるMCSを有することができることに留意されたい。TP（マスタTP710およびスレーブTP）は、ダウンリンクデータをmmWave UE720に送信する（イベント782）。
【００７９】
図8は、mmWave UE中心のクラウドセルの形成に関与するmmWave UEにおいて生じる例示的な動作800のフロー図を示している。動作800は、mmWave UE中心のクラウドセルの形成に関与する、mmWave UEにおいて生じる動作を示すことができる。
【００８０】
動作800は、mmWave UEがレガシー通信システムに接続することから始まる（ブロック805）。mmWave UEは、3GPP LTE技術標準に記載されているような様々な技術のうちの1つを使用してレガシー通信システムに接続することができる。mmWave UEは、mmWave UEが接続されているレガシーeNBのカバレッジエリア内で動作しているmmWave TPについて、基準および制御信号の構成に関する情報を受信する（ブロック807）。
【００８１】
mmWave UEは、レガシーeNBのカバレッジエリア内で動作しているmmWave TPの信号強度を測定する（ブロック809）。mmWave UEは、最も強い信号強度を有するmmWave TPを選択し、mmWave TPと同期する（ブロック811）。mmWave UEは、他のmmWave TPを走査し、他のmmWave TPのそれぞれについて最良の送信および受信通信ビームに対応するビームインデックスを記録する（ブロック813）。
【００８２】
mmWave UEは、クラウドセル動作が実行可能かどうかを判断する（ブロック815）。例示的な一例として、十分に強い信号強度を有する十分な数のmmWave TPが存在し、これらのmmWave TPからの受信信号があまりにも急速に変化しない場合（UEがあまりにも速く動いていることを示す）、クラウドセル動作が実行可能である。クラウドセル動作が実行可能でない場合、動作800は終了することができる。クラウドセル動作が実行可能である場合、mmWave UEは、mmWave TPの測定レポートをレガシーeNBに送信する（ブロック817）。mmWave UEは、mmWave UE中心のクラウドセル形成要求をレガシーeNBに送信する（ブロック819）。mmWave UEは、mmWave TPのセットに関する情報を受信する（ブロック821）。mmWave TPのセットは、mmWave UEのためのmmWave UE中心のクラウドセルを形成するように選択されたmmWave TPを含む。
【００８３】
mmWave UEは、マスタTPとのアップリンク同期を実行する（ブロック823）。アップリンク同期は、例えば、RACH手順で開始することができる。mmWave UEは、mmWave UE中心のクラウドセルのマスタTPからRARを受信する（ブロック825）。mmWave UEは、mmWave UE中心のクラウドセル内のスレーブTPからRARを受信する（ブロック827）。mmWave UEは、受信したRARをマスタTPに報告する（ブロック829）。mmWave UEは、送信フォーマットまたはパラメータに関する情報を受信する（ブロック831）。mmWave UE中心のクラウドセルの形成は完了している。まとめて、ブロック809から831は、mmWaveのUE中心のクラウドセルの形成を含む（ブロック833）。mmWave UEは、クラウドセル通信を開始する（ブロック835）。
【００８４】
図9は、mmWave UE中心のクラウドセルの形成に関与するレガシーeNBにおいて生じる例示的な動作900のフロー図を示している。動作900は、レガシーeNBがmmWave UE中心のクラウドセルの形成に関与する際に、レガシーeNBにおいて生じる動作を示すことができる。
【００８５】
動作900は、mmWave UEに含まれるレガシートランシーバを使用して、レガシーeNBがmmWave UEと接続することから始まる（ブロック905）。レガシーeNBは、レガシーeNBのカバレッジエリアで動作するmmWave TPに関する情報をmmWave UEに送信する（ブロック910）。レガシーeNBは、mmWave UEから測定レポートを受信する（ブロック915）。測定レポートは、mmWave TPによって送信されたビーム形成されたCSI−RSのmmWave UEによって行われた信号強度測定値（すなわち、RSRP）またはチャネル品質表示レポート（CQI）であってもよい。これらのレポートには、選択したmmWave TPおよび対応するmmWave TP識別子のそれぞれについて、選択したビームインデックス情報が含まれていてもよい。レガシーeNBは、mmWave UEからmmWave UE中心のクラウドセル形成要求を受信する（ブロック920）。レガシーeNBは、mmWave UE中心のクラウドセル形成要求およびmmWave UEによって行われた測定レポートを中央コントローラに転送する（ブロック925）。レガシーeNBは、中央コントローラから応答を受信する（ブロック930）。中央コントローラからの応答は、mmWave UEによって行われた測定レポートに基づいて中央コントローラによって選択されたmmWave TPのセットに関する情報を含むことができる。レガシーeNBは、応答をmmWave UEに転送する（ブロック935）。レガシーeNBは、受信したRARに関する情報をmmWave UEから受信する（ブロック940）。レガシーeNBは、受信したRARに関する情報を中央コントローラに転送する（ブロック945）。
【００８６】
図10は、mmWave UE中心のクラウドセルの形成に関与する中央コントローラにおいて生じる例示的な動作1000のフロー図を示している。動作1000は、mmWaveのUE中心のクラウドセルの形成に関与する中央コントローラにおいて生じる動作を示すことができる。
【００８７】
動作1000は、中央コントローラがmmWave UE中心のクラウドセル要求および測定レポートを受信することから始まる（ブロック1005）。中央コントローラは、mmWave UE中心のクラウドセルのためのmmWave TPを選択する（ブロック1010）。中央コントローラは、中央データベースおよび選択情報（すなわち、要求された通信ビーム、mmWave TP能力、mmWave TP負荷、mmWave UE能力、干渉状態など）に従ってmmWave TPを選択することができる。中央コントローラは、mmWave UE中心のクラウドセル形成要求に対する応答をレガシーeNBに送信する（ブロック1015）。この応答には、中央コントローラによって選択されたmmWave TPに関する情報が含まれてもよい。また、中央コントローラは、マスタTPに、指定された通信ビーム方向上のRACHと、RARを送信するためのスレーブTP通信ビーム方向とを予期するように通知する（ブロック1015）。中央コントローラは、mmWave UEによって受信されたRARに関する情報を有するメッセージを受信する（ブロック1020）。中央コントローラは、mmWave UEによって受信されたRARに関する情報に従って中央データベースを更新する（ブロック1025）。
【００８８】
図11は、mmWaveのUE中心のクラウドセルの形成に関与するマスタTPにおいて生じる例示的な動作1100のフロー図を示している。動作1100は、mmWaveのUE中心のクラウドセルの形成に関与するマスタTPにおいて生じる動作を示すことができる。
【００８９】
動作1100は、マスタTPが基準信号および制御信号を送信することから始まる（ブロック1105）。基準信号および制御信号は、ビーム形成されたCSI−RSのようにビーム形成されてもよい。マスタTPは、中央コントローラに、マスタTPの能力および負荷情報を通知するメッセージを中央コントローラに送信する（ブロック1110）。マスタTPは、mmWave UEからの予期されるRACH受信のため、およびRARを送信するための通信ビーム方向をマスタTPに通知するメッセージを受信する（ブロック1120）。マスタTPは、アップリンクRACHを受信し、mmWave UEとのアップリンク同期に関与する（ブロック1125）。マスタTPは、RARを送信する（ブロック1130）。マスタTPは、スレーブTPから受信したRARのmmWave UEからのレポートを受信する（ブロック1135）。マスタTPは、mmWave UE中心のクラウドセル通信を開始する（ブロック1140）。
【００９０】
図12は、mmWave UE中心のクラウドセルの形成に関与するスレーブTPにおいて生じる例示的な動作1200のフロー図を示している。動作1200は、mmWave UE中心のクラウドセルの形成に関与するスレーブTPにおいて生じる動作を示すことができる。
【００９１】
動作1200は、スレーブTPが基準信号および制御信号を送信することから始まる（ブロック1205）。基準信号および制御信号は、ビーム形成されたCSI−RSのようにビーム形成されてもよい。スレーブTPは、スレーブTPの能力および負荷情報を中央コントローラに通知するメッセージを中央コントローラに送信する（ブロック1210）。スレーブTPは、RARを送信するための通信ビームの方向についてスレーブTPに通知するメッセージを受信する（ブロック1215）。スレーブTPは、マスタTPにおいてRACHが受信されたこと、およびRARを送信するためのタイミング情報をスレーブTPに通知するメッセージ受信する（ブロック1220）。スレーブTPは、RARを送信する（ブロック1225）。スレーブTPは、mmWave UE中心のクラウドセル通信を開始する（ブロック1230）。
【００９２】
mmWave UEがRACHを送信してアップリンク送信電力レベルを決定し、アップリンク同期を実行した後に、mmWave UEがmmWave UE中心のクラウドセルのマスタTPからRARを受信しない状況が発生する可能性がある。指定された回数の試行後、またはタイムアウトタイマが満了した後に、mmWave UEがマスタTPからRARを受信しない場合、いくつかの例示的な実施形態は、mmWave UEに解決策を提供する。
【００９３】
例示的な実施形態によれば、mmWave UEは、ビーム形成されたCSI−RSの測定を繰り返し、別のmmWave UE中心のクラウドセル形成要求をレガシーeNBに送信する。一例として、mmWave UEは、図7に示すイベント744を繰り返す。
【００９４】
例示的な実施形態によれば、mmWave UEは、レガシーeNBに、マスタTPからRARを受信していないことを通知し、異なるマスタTPの選択を開始する。異なるマスタTPの選択は、mmWave UEによって行われる同じビーム形成されたCSI−RS測定に基づくことができ、異なるマスタTPは、mmWave UEによって最も高い信号測定値を有するmmWave TPの好ましいセットのメンバとして選択される次に利用可能なmmWave TPであってもよい。
【００９５】
図13は、mmWave UEがマスタTPからRARを受信しない状況を処理するための実施形態の技術を強調して、mmWave UE中心のクラウドセルの形成において生じるメッセージ交換および処理を強調する図1300示している。図1300は、レガシーeNB1305、マスタTP1310、1つまたは複数のスレーブTP（例えば、TP21315およびTPN1317）、mmWave UE1320、および中央コントローラ1325において生じるメッセージ交換および処理を示している。
【００９６】
図13A〜13Dに示すようなmmWave UE中心のクラウドセルの形成において生じるメッセージ交換および処理は、mmWave UE1320がRACHをマスタTP1310に送信する（イベント1330）まで、図7に示したものと同様の方法で進行する。指定された回数の試行後、またはタイムアウトタイマが満了した場合に、mmWave UE1320がマスタTP1310からRARを受信していないと判断した場合（ブロック1332）、mmWave UE1320は、マスタTP1310からRARを受信していないことを示すメッセージをレガシーeNB1305に送信する（イベント1334）。レガシーeNB1305は、メッセージを中央コントローラ1325に転送する（イベント1336）。中央コントローラ1325は、そのカバレッジエリアで動作するmmWave TPからmmWave TP能力および負荷情報を受信する（イベント1338）。中央コントローラ1325は、mmWave UE1320のための新しいmmWave TPのセットを選択し、新しいmmWave TPのセットに関する情報をレガシーeNB1305に送信し（イベント1342）、レガシーeNB1305はその情報をmmWave UE1320に転送する（イベント1344）。例示的な一例として、中央コントローラ1325は、中央データベースを参照し、要求された通信ビーム、mmWave TP能力、mmWave TP負荷、mmWave UE能力、干渉などを考慮することによって、mmWave TPのセットを決定することができる。
【００９７】
中央コントローラ1325は、mmWave TPのセット内のmmWave TPをシグナリングして、mmWave UE1320のために準備する（イベント1346）。中央コントローラ1325は、通信ビーム情報の送信および受信を含む情報をシグナリングすることができる。シグナリングは、大容量の低レイテンシリンク上で発生してもよい。mmWave UE1320は、ビーム形成されたRACHを図13にmmWave TP1315として示されている新しいマスタTPに送信する（イベント1350）ことによって、ビーム形成のアップリンク同期手順（ブロック1348）を繰り返す。
【００９８】
形成後に、mmWave UE中心のクラウドセルを管理することが必要な場合がある。mmWave UE中心のクラウドセルの管理には、送信フォーマットまたはパラメータの変更、マスタTPの変更、スレーブTPの追加、スレーブTPの削除、mmWave UE中心のクラウドセルの分解、mmWave UE中心のクラウドセルのための中央コントローラの変更などが含まれる。
【００９９】
例示的な実施形態によれば、mmWave UE中心のクラウドセルを管理する技術が提供される。例示的な実施形態によれば、フィードバックおよびシグナリングメカニズムが提供される。
【０１００】
mmWave UE中心のクラウドセルの管理について議論するために、mmWave UEの様々な異なるmmWave TPのセットを以下のように定義する。
セットA：mmWave UEの同期ウィンドウ内にあるmmWave TPのセット。セットA mmWave TPは、mmWave UEの現在のガードインターバルにおいて、mmWave UEが検出することができるmmWave TPであり（すなわち、これらのmmWave TPとmmWave UEとの間のチャネルが十分なSNRを有する）、したがって関連するmmWave TPのビーム形成されたCSI−RSを受信することができる。
セットB：mmWave TPを報告するCSI−RSのセット（例えば、CQI、ビームインデックス（BI）、CSI−RS測定からのランクインジケータ（RI））。セットB mmWave TPは、mmWave UEが測定し、CSI−RS測定レポートで報告するmmWave TPである。セットBは、セットAのサブセットである。セットBのメンバは、CSI−RS構成の特定のパラメータ（例えば、報告されたmmWave TPの最大数、TPの最小SNRまたはCQIなど）を満たすmmWave TPとなる。レガシーeNBおよびマスタTPに送信されるレポートに対して、CSI−RS構成を独立して設定することができる。mmWave UEは、セットAのどのメンバがCSI−RS構成の制約の対象であるセットBにもあるかを判断することができる。
セットC：セットCはセットBのサブセットである。セットCは、mmWave UEとの制御および／またはデータ通信に関係する現在のmmWave TPのセットを表す。マスタTPおよび中央コントローラは、セットBのどのメンバがセットCにあるかを判断することができる。
【０１０１】
3GPP LTE準拠の通信システムでは、RRMセット内のTPの無線リソース測定値（RRM）を報告するために、レガシーUEが無線リソース制御（RRC）メッセージを介して構成される。RRMは、どのTPがCOMP測定セット内にあるかを判断するために、ネットワーク側エンティティ（例えば、eNB、コントローラなど）によって使用される。図14は、3GPP LTE準拠の通信システムにおける例示的な測定セットの図1400を示している。RRM測定セット1405は、レガシーUE1420の略周辺に配備されたTP（例えば、TP1410〜1414）を含む。レガシーUE1420は、TPによって実行された送信、例えばセル固有の基準信号（CRS）を測定し、RRMをTP1410（レガシーeNB）などのネットワーク側エンティティに報告する。COMP測定セット1425は、レガシーUE1420とのCOMP動作の候補として（例えば、それぞれのRRMレポートに従って）ネットワーク側エンティティによって選択されたRRM測定セット1405のメンバであるTP1410、TP1412、およびTP1413などのTPを含む。COMP測定セット1425のTPは、レガシーUE1420が測定を行うことを可能にするためにCSI−RSを送信する。COMP測定セット1425は、（3GPP LTE準拠の通信システムのネットワーク側エンティティではなく、どのTPがこのセットの一部であるかをmmWave UEが決定する提案された手法を除いて）上記で定義したセットBと同様であってもよい。COMP協力セット1430は、レガシーUE1420とのCOMP動作に関与するために（それらのそれぞれのCSI−RS測定に従って）ネットワーク側エンティティによって選択されたTP1410およびTP1412などのTPを含む。COMP協力セット1430は、上記で定義したセットCと同様であってもよい。
【０１０２】
例示的な実施形態によれば、各mmWave UEは、3GPP LTEとは対照的に、どのmmWave TPがセットB（mmWave TPを報告するCSI−RSのセット）にあるかをそれ自身で決定する。mmWave UEによるセットBの自己決定は、レイテンシを短縮して動作することを可能にする。
【０１０３】
例示的な実施形態によれば、mmWave UEは、周囲のmmWave TPの同期信号およびその同期ウィンドウまたはガード時間内にあるmmWave TPのCSI−RS、すなわち、セットAメンバを監視する。同期信号とビーム形成されたCSI−RSの定期的な監視により、mmWave TPは低レイテンシでフィードバックとシグナリングを提供できるため、mmWave通信システムに内在する急速に変化する環境をサポートする。さらに、典型的にはmmWave通信システムで利用可能な大きなアップリンク帯域幅が利用され、性能が向上する。例示的な一例として、mmWave UEは、（大きなアップリンク帯域幅を使用して）複数のmmWave TPについての完全なCSI−RS測定レポートを提供し、通信ビームおよびmmWave TPの高速スイッチングを容易にする。
【０１０４】
図15A〜15Bは、フィードバックおよびシグナリングを強調する、mmWave UE中心のクラウドセルの管理において生じるメッセージ交換および処理を強調する図1500を示している。図1500は、mmWave UE1505、レガシーeNB1510、マスタTP1515、1つまたは複数のスレーブTP（例えば、TP1〜N）1520、mmWave TPX1525、および中央コントローラ1530において生じるメッセージ交換および処理を示している。
【０１０５】
mmWave UE中心のクラウドセルの形成後、mmWave UE中心のクラウドセルの構成は、mmWave UE1505、マスタTP1515、および中央コントローラ1530に沿って整列される（イベント1535）。mmWave UE1505は、マスタTP1515および1つまたは複数のスレーブTP1520とのクラウドセル通信に関与する（イベント1537）。mmWave UE1505はCSI−RS測定値をマスタTP1515に報告する（イベント1539）。CSI−RS測定値は、mmWave UE1505の同期ウィンドウ（またはガード時間）内にあるmmWave TPである。mmWave UE1505は、測定セット（すなわち、セットB）内の各mmWave TPについて好ましいビームインデックス（BI）およびランクインジケータ（RI）を、各mmWave TPについて何らかの形式の識別子と共に提供することができる。CSI−RS測定レポートは、指定された間隔に従って定期的にシグナリングされてもよく、またはmmWave 1505によってトリガされてもよい。CSI−RS測定レポートのシグナリングは、利用可能な大きなアップリンクmmWave帯域幅を使用して、マスタTP1515を用いて高速アップリンク制御チャネル上で行われてもよい。以下を含む複数のCSI−RS測定報告モードが存在し得る：
分散MIMO動作のためのmmWave TPごとのCQIフィードバック（mmWave TP IDなどのmmWave TP識別情報を含む）；
ダイバーシティベースの動作のための1つのCQIフィードバック（セットBのmmWave TPまたはマスタTP1515の平均CQIに基づく）。
スレーブTP1520はまた、UEからマスタTP1515へのアップリンク受信信号の測定レポートを報告する（イベント1541）。
【０１０６】
CSI−RSステータスは、マスタTP1515で更新される（CSI−RSステータス−ブロック1543）。CSI−RS測定レポートが、送信のために割り当てられたMCSのみが変更される必要があることを示す場合、マスタTP1515は、それ自体で任意の関連する変更を開始することができる（ブロック1545）。ただし、CSI−RS測定レポートが、mmWave TPからの通信ビームを変更する必要があることを示す場合、またはmmWave UE中心のクラウドセルを変更する必要がある場合、マスタTP1515は、変更をサポートするために中央コントローラ1530を参照する必要があり得る（ブロック1547）。
【０１０７】
マスタTP1515が中央コントローラ1530を参照する必要がある場合、マスタTP1515は中央コントローラ1530に変更クエリを送信する（イベント1549）。変更クエリは、所与のmmWave TPまたはmmWave UE中心のクラウドセルの構成（すなわち、mmWave TPがクラウドセル内にある）についての通信ビームの可能な変化に関するものであってもよい。マスタTP1515が中央コントローラ1530に直接接続されている場合、変更クエリは中央コントローラ1530に直接送信されてもよい。マスタTP1515が中央コントローラ1530に直接接続されていない場合、変更クエリは、中間の役割を果たすレガシーeNB1510に送信され、中央コントローラ1530に変更クエリを送信することができる。中央コントローラ1530は、通信ビームおよび／またはmmWave UE中心のクラウドセルの構成を更新し（イベント1551）、マスタTP1515に確認を送信する（イベント1553）。再度、確認は、中央コントローラ1530とマスタTP1515との間の接続性に応じて、マスタTP1515に直接送信されるか、またはレガシーeNB1510を介して送信されてもよい。
【０１０８】
マスタTP1515は、mmWave UE中心のクラウドセルの通信をスケジュールする（イベント1555）。mmWave UE中心のクラウドセルへの更新が必要な場合、マスタTP1515は、スレーブTP1520およびmmWave TPX1525（イベント1559）を含む中央コントローラ1530（イベント1557）およびmmWave TPを更新する。mmWave UE中心のクラウドセルの構成は、mmWave UE1505、マスタTP1515、および中央コントローラ1530に沿って整列される（イベント1561）。イベントおよびブロック1539〜1561は、CSI−RS監視ループ1563と呼ばれてもよい。メディアアクセス制御（MAC）制御要素は、mmWave UE中心のクラウドセルのメンバmmWave TPを修正するために使用されてもよい。
【０１０９】
図16は、mmWave UE中心のクラウドセルの管理に関与するmmWave UEにおいて生じる例示的な動作1600のフロー図を示している。動作1600は、mmWave UE中心のクラウドセルの管理に関与する、mmWave UEにおいて生じる動作を示すことができる。
【０１１０】
動作1600は、mmWave UEがmmWave TPから基準信号を受信し復号することから始まる（ブロック1605）。mmWave UEは、例えば、セットAのメンバであるmmWave TPからのmmWave TPおよびCSI−RS信号からの同期信号を受信し復号することができる。mmWave UEはマスタTPにダウンリンク同期されているので、mmWave UEは、セットAのメンバであるmmWave TPのビーム形成されたCSI−RSを受信し復号することができる。さらに、mmWave UEは、各mmWave TPに対して好ましい受信送信ビームのセットを決定して格納することができる。セットAのmmWave TPは、例えば、mmWave UEの受信機の数の制限またはmmWave TPのスケジューリング制約のために、mmWave UEが現在接続されている（Set C）mmWave TPのセットよりも潜在的に大きい。
【０１１１】
mmWave UEは、測定レポートをマスタTPに送信する（ブロック1610）。mmWave UEは、構成された測定レポートを定期的に送信することができ、または、mmWave UEがmmWave UE中心クラウドセットの変更が保証されていることを（測定値に基づいて）通知する場合、mmWave UEは、アップリンク制御信号にCSI−RSレポート要求開始フラグを示すことによって、mmWave UEから非周期的測定レポートを要求するようにマスタTPをトリガすることができる。定期的に報告するシナリオでは、CQI報告モードがmmWave TPごとにCQIフィードバックに設定されている場合、マスタmmWave TPは測定レポートを受信し、中央コントローラは、（CQIレポート、要求された通信ビーム、mmWave TP可用性、動作状態などに基づいて）どのmmWave TPが更新されたmmWave UE中心のクラウドセルに含まれるかを判断する。
【０１１２】
mmWave UEは、更新されたmmWave UE中心のクラウドセルに関する情報を受信する（ブロック1615）。この情報は、更新されたmmWave UE中心のクラウドセル内のmmWave TPの識別子、および通信ビーム情報を含むことができる。mmWave UEは、mmWave UE中心のクラウドセル通信を開始する（ブロック1620）。
【０１１３】
図17は、mmWave UE中心のクラウドセルの管理に関与するマスタTPにおいて生じる例示的な動作1700のフロー図を示している。動作1700は、mmWave UE中心のクラウドセルの管理に関与するマスタTPにおいて生じる動作を示すことができる。
【０１１４】
動作1700は、マスタTPがmmWave UEからの測定レポートを受信することから始まる（ブロック1705）。測定レポートは一定間隔で定期的に受信されてもよく、または測定レポートはmmWave UEによって非周期的にトリガされてもよい。マスタTPは、測定レポートを以前の測定レポートと比較する（ブロック1710）。例えば、1つまたは複数のmmWave TPのCQIが閾値を超えて変化した場合や、すべてのmmWave TPの組み合わされたCQIが閾値を超えて変化した場合など、測定レポートが大幅に変化した場合、マスタTPはmmWave UE中心のクラウドセルが保証されていると判断してもよい。マスタTPは、その変更がMCSの変更のみに限定されているかどうかを判断するために検査を実行する（ブロック1715）。変更がMCSのみの変更に限定される場合、マスタTPはMCSへの変更を行う（ブロック1720）。変更がMCSのみの変更に限定されない場合（例えば、各mmWave TPまたはランクごとの通信ビームの変更）、マスタTPは変更クエリを中央コントローラに送信し、中央コントローラから確認を受信する（ブロック1725）。変更クエリは、測定レポート（CQI、ビームインデックス、およびmmWave TPのランク情報を含む）を含むことができ、確認は、mmWave UE中心のクラウドセルまたは更新されたmmWave UE中心のクラウドセルに対する変更を含むことができる。
【０１１５】
マスタTPは、更新されたmmWave UE中心のクラウドセルを使用してスケジュールする（ブロック1730）。mmWave TP構成に変更があった場合、マスタTPは、更新されたmmWave UE中心のクラウドセルに関するmmWave TPを更新するメッセージを送信する（ブロック1735）。マスタTPは、mmWave UE中心のクラウドセル通信を開始する（ブロック1740）。
【０１１６】
場合によっては、mmWave UE中心のクラウドセルのマスタTPを変更する必要があり得る。例示的な一例として、mmWave UEが、セットAのメンバであるmmWave TPが、マスタTPの信号よりも強い信号、例えばCQIを有することを検出した場合、mmWave TPを新しいマスタTPにすることが望ましい場合がある。別の例示的な一例として、マスタTPとmmWave UEとの間の通信チャネルが劣化している可能性があり、通信チャネルがブロックされているか、または部分的にブロックされている可能性があり、マスタTPが故障している可能性がある。新しいmmWave TP（より強い信号を有する）が入っているセット（例えば、セットA、BまたはC）に応じて、新しいTPをマスタTPにするための異なるメカニズムが存在する。例えば、より強い信号を有する新たに検出されたmmWave TPがセットC（接続されたセット）にある場合、このTPは既にスレーブTPとしてクラウドセル内にあるので、中央コントローラを最初に参照する必要はない場合がある。ただし、新たに検出されたmmWave TPがセットAまたはBにある場合、新たに検出されたmmWave TPがまだ接続されたセット内になく、中央コントローラによってmmWave UE中心のクラウドセルに入るようにまだ割り当てられていないので、中央コントローラを最初に参照する必要がある場合がある。
【０１１７】
図18A〜18Bは、中央コントローラを最初に参照する必要がない場合（すなわち、この新しいマスタTPが接続されたセットCに既に存在する場合）に、mmWave UE中心のクラウドセルのマスタTPの変更において生じる第1の例示的なメッセージ交換および処理を強調する図1800を示している。図1800は、mmWave UE1805、レガシーeNB1810、マスタTP1815、1つまたは複数のスレーブTP（例えば、TP1〜N）1820、mmWave TPX1825、および中央コントローラ1830におけるメッセージ交換および処理を示している。
【０１１８】
mmWave UE中心のクラウドセルの形成後、mmWave UE中心のクラウドセルの構成は、mmWave TPX1825を含むマスタTP1815およびスレーブTP1820を含む（ブロック1835）。mmWave UEは、mmWave UE中心のクラウドセルのmmWave TPによって行われたCSI−RS送信を測定し（イベント1837）、測定値を報告する（イベント1839）。前述のように、測定値は指定された間隔で定期的に報告されてもよい。あるいは、mmWave UEは、アップリンク制御信号にCSI−RSレポート要求開始フラグを設定することによって測定レポートをトリガし、これによりマスタTPはmmWave UEに非周期的測定レポートを求める。
【０１１９】
マスタTP1815は、マスタTP変更に関して中央コントローラ1830に参照する必要があるかどうかを判断する（ブロック1841）（すなわち、新たに検出されたmmWave TPのIDに基づいて、マスタTPは、新たに検出されたmmWave TPが既に接続されたセット内にあるかどうかを判断することができる）。中央コントローラ1830を参照する必要がない状況を図18に示す。中央コントローラ1830を参照する必要がある場合、マスタTP1815は中央コントローラ1830にクエリを送信し、中央コントローラ1830は更新されたmmWave UE中心のクラウドセルを有する確認応答を返す。
【０１２０】
議論のために、mmWave TPX1825が新しいマスタTPになるという状況を考えてみる。マスタTP1815とmmWave TPX1825は、mmWave TPX1825に新しいマスタTPの役割をネゴシエートする（イベント1843）。マスタTP1815は、mmWave UE1805にシグナリングして、mmWave TPX1825が新しいマスタTPになることをmmWave UE1805に通知する（イベント1845）。mmWave UE1805は、mmwave TPX1825に対するマスタTP変更応答をシグナリングする（イベント1847）。マスタTP変更応答は、マスタTP変更を確認することができる。ここでは新しいマスタTPであるmmWave TPX1825は、それが新しいマスタTPであることを発表するアナウンスをシグナリングする（イベント1849）。アナウンスは、レガシーeNB1810に送信され、レガシーeNB1810はアナウンスを中央コントローラ1830に転送することができる。中央コントローラ1830は、更新されたmmWave UE中心のクラウドセル内のすべてのmmWave TPを更新する（イベント1851）。更新後、mmWave UE中心のクラウドセルの構成は、mmWave UE1805、レガシーeNB1810、中央コントローラ1830、およびmmWave UE中心のクラウドセルのメンバと整列される（ブロック1853）。
【０１２１】
マスタTP変更を保証する状況では、マスタTPとmmWave UEとの間の通信チャネルは、弱くなるか劣化する可能性があることに留意されたい。図18で概説した手順は機能するが、よりロバストな解決策が利用可能である。
【０１２２】
図19は、mmWave UE中心のクラウドセルのマスタTPの変更において生じる第2の例示的なメッセージ交換および処理を強調する図1900を示している。図1900は、mmWave UE1905、レガシーeNB1910、マスタTP1915、1つまたは複数のスレーブTP（例えば、TP1〜N）1920、およびmmWave TPX1925において生じるメッセージ交換および処理を示している。
【０１２３】
図19に示されているメッセージ交換および処理は、マスタTP1915が、マスタTP変更が行われるべきであり、マスタTP1915がマスタTP変更をmmWave TPX1925とネゴシエートしたと判断した後に発生するイベントを表すことができる。例示的な一例として、図19に示されているメッセージ交換および処理は、図18のイベント1843の後および図18のイベント1849の前に発生してもよい。
【０１２４】
マスタTP1915は、マスタTP変更メッセージをレガシーeNB1910に送信する（イベント1930）。マスタTP1915およびレガシーeNB1910は、高スループットの低レイテンシリンクを介して通信するので、リンクの状態は非常に信頼性が高い。レガシーeNB1910は、mmWaveマスタTP1915とmmWave UE1905との間の劣化した（または潜在的に存在しない）mmWaveリンクよりもはるかに信頼できるレガシー（すなわちLTE経由の）リンクを介して、マスタTP変更メッセージをmmWave UE1905に転送する（イベント1932）。mmWave UE1905は、マスタTP変更応答をmmwave TPX1925にシグナリングする（イベント1934）。マスタTP変更応答は、マスタTP変更を確認することができる。
【０１２５】
図20Aは、測定レポートを送信するmmWave UEにおいて生じる例示的な動作2000のフロー図を示している。動作2000は、測定レポートを送信するmmWave UEにおいて生じる動作を示すことができる。
【０１２６】
動作2000は、mmWave UEがmmWave TPからの基準信号を受信し復号して、セットAのTPからの基準信号を測定することから始まる（ブロック2005）。mmWave UEは、測定された基準信号を報告する時間であるかどうかを判断するために検査を実行する（ブロック2010）。言い換えれば、定期的な測定レポートを作成する時間である。測定された基準信号を報告する時間でない場合、mmWave UEは、測定された基準信号を報告する必要があるかどうかを判断するために検査を実行する（ブロック2015）。例示的な一例として、mmWave UEは、通信ビーム方向の変更、現在の送信のためのMCSの変更などが必要であると判断することができる。
【０１２７】
測定された基準信号を報告する必要がある場合、mmWave UEは、非周期的測定レポート要求を開始する（ブロック2020）。例示的な一例として、mmWave UEは、アップリンク制御信号にCSI−RSレポート要求開始フラグを示すことによって、非周期的測定レポート要求をトリガする。このようにして、例示的な実施形態は、従来の通信システムでは、非周期的測定レポートが通常はサービングTPによってのみトリガされるので、フィードバック情報に関連するレイテンシを低減することができる。mmWave UEは、マスタTPからの非周期的レポート要求を受信したかどうかを判断するための検査を実行する（ブロック2025）。mmWave UEがレポート要求を受信していない場合、mmWave UEは、実装に応じて（ブロック2025に戻って）レポート要求を待ち続けるか、または動作2000を終了することができる。mmWave UEがレポート要求を受信した場合、mmWave UEは測定レポートを送信する（ブロック2030）。測定されたmmWave TPの1つに対する測定基準信号がマスタTPの測定された基準信号よりも良好でない場合（または他のフィードバックパラメータのいずれも変化していない場合）、動作2000を終了することができる。測定された基準信号を報告する時間であれば（ブロック2010）、mmWave UEは測定レポートを送信する（ブロック2030）。
【０１２８】
図20Bは、マスタTP変更に関与するmmWave UEにおいて生じる例示的な動作2050のフロー図を示している。動作2000は、マスタTP変更に関与するmmWave UEにおいて生じる動作を示すことができる。
【０１２９】
動作2050は、mmWave UEが測定レポートを送信することから始まる（ブロック2055）。mmWave UEは、マスタTP変更要求を受信する（ブロック2060）。マスタTP変更要求を、マスタTPから、またはレガシーeNBから受信することができる。mmWave UEは、新しいマスタTPになり、新しいマスタTPに同期するmmWave TPにマスタTP変更応答を送信する（ブロック2065）。mmWave UEは、mmWave UE中心のクラウドセル通信を開始する（ブロック2070）。
【０１３０】
図21は、マスタTP変更に関与するマスタTPにおいて生じる例示的な動作2100のフロー図を示している。動作2100は、マスタTP変更に関与するマスタTPにおいて生じる動作を示すことができる。
【０１３１】
動作2100は、マスタTPがmmWave UEからの測定レポートを受信することから始まる（ブロック2105）。測定レポートは、定期的な測定レポートであってもよいし、測定レポートは、指定された値に設定されたCSI−RSレポート要求開始フラグでアップリンク制御情報を受信した後、マスタTPによってトリガされる非周期的なレポートであってもよい。マスタTPは、新しいマスタTPになるmmWave TPがmmWave UE中心のクラウドセルの一部であるかどうかを判断するための検査を実行する（ブロック2110）。mmWave TPがmmWave UE中心のクラウドセルの一部である場合、マスタTPおよびmmWave TPがハンドオーバに関与し、mmWave TPが新しいマスタTPになる（ブロック2115）。通信ビームを変更する必要がある場合、mmWave TPがmmWave UE中心のクラウドセルの一部であっても、中央コントローラを参照する必要があり得ることに留意されたい。
【０１３２】
mmWave TPがmmWave UE中心のクラウドセルの一部でない場合、マスタTPは、mmWave TPが利用可能かどうかを判断するために、変更要求を中央コントローラに送信する（ブロック2120）。マスタTPは、中央コントローラから応答を受信する（ブロック2125）。ハンドオーバが完了した後、または中央コントローラからの応答を受信した後、元のマスタTPは、mmWave UEにマスタTP変更要求を送信してmmWave UEにマスタTP変更を通知する（ブロック2130）。元のマスタTPは、mmWave UE中心のクラウドセル通信を開始する（ブロック2135）。
【０１３３】
図22は、マスタTP変更が通知された中央コントローラにおいて生じる例示的な動作2200のフロー図を示している。動作2200は、スレーブTPがマスタTPになったときにマスタTP変更が通知された中央コントローラにおいて生じる動作を示すことができる。
【０１３４】
動作2200は、中央コントローラが新しいマスタTPアナウンスを受信することから始まる（ブロック2205）。新しいマスタTPを、mmWave UE中心のクラウドセルの新しいマスタTPから受信することができる。中央コントローラは、mmWave UE中心のクラウドセルに関する情報を更新する（ブロック2210）。情報はデータベースに格納されてもよい。中央コントローラは、更新されたmmWave UE中心のクラウドセルについての情報を送信する（ブロック2215）。更新されたmmWave UE中心のクラウドセルに関する情報は、更新されたmmWave UE中心のクラウドセルのメンバmmWave TPに送信されてもよい。
【０１３５】
図23は、非スレーブmmWave TPがマスタTPになるときのマスタTP変更に関与する中央コントローラにおいて生じる例示的な動作2300のフロー図である。動作2300は、マスタTP変更に関与する中央コントローラにおいて生じる動作を示すことができる。その後、非スレーブTPは新しいマスタTPになる。
【０１３６】
動作2300は、新たに見つけられたmmWave TPをマスタTPにする要求を中央コントローラが受信することから始まる（ブロック2305）。この例では、新たに見つけられたmmWave TPは非スレーブTPである。言い換えれば、新たに見つけられたmmWave TPは、mmWave UEのmmWave UE中心のクラウドセルのメンバではない。中央コントローラは、中央データベースおよび選択情報（すなわち、要求された通信ビーム、mmWave TP能力、mmWave TP負荷、mmWave UE能力、干渉状態など）に従ってmmWave TPを選択することができる（ブロック2310）。中央コントローラは、mmWave UE中心のクラウドセルに関する情報を更新する（ブロック2315）。中央コントローラは、更新された情報を送信する（ブロック2320）。更新情報は、mmWave UE中心のクラウドセルのメンバと同様に、mmWave UEに送信されてもよい。中央コントローラは、mmWave UE中心のクラウドセルに関する中央データベース内の情報を更新する（ブロック2325）。
【０１３７】
前述したように、mmWave UEは、報告されたmmWave TP（すなわち、セットB）ごとに1つのCQIフィードバックまたはmmWave TPに対して1つのCQIフィードバックのいずれかを提供するように構成されてもよい（平均CQIは、報告されたすべてのmmWave TP（すなわち、セットB）、接続されたセットのすべてのmmWave TP（すなわち、セットC）、またはマスタTPによって決定されたmmWave TPの別のセットに対するものである）。mmWave UEがmmWave TPに対して1つのCQIフィードバックを実行するように構成されている場合、最終的な送信は、mmWave TPが同じデータストリームを送信し、同じMCSを使用するダイバーシティタイプの送信であることに留意されたい。ただし、mmWave UEがmmWave TPごとに1つのCQIフィードバックを実行するように構成されている場合、UEは、mmWave UEにおいて同じ受信通信ビームを使用して受信される、ダウンリンク伝送のための（すなわち、CSI−RS測定レポートにおけるビームインデックス（BI）を使用して）mmWave TPのための通信ビームを選択することができる。これが発生すると、mmWave TPは、mmWave UEがmmWave TPから送信された異なる信号を同じ時間および周波数で区別することができないため、古典的な分散MIMO送信を使用すべきではない。したがって、mmWave UE測定レポートは、1ビット送信モードフラグを含むことができ：
’0’−モード0−異なるサブバンド上でダイバーシティを送信するか、または分散MIMOを送信する、
’1’−モード1−古典的な分散MIMO（同じサブバンド）。
ビームインデックスのための送信モードが何であるべきかを示すために、マスタTPへのフィードバックを有する。
【０１３８】
mmWaveリンクは脆弱であり、高いモビリティ状況であるため、mmWave UE（またはレガシーeNB）は、mmWave接続性を完全に低下させ、円滑なマスタTP変更が不可能な場合に起こり得るレガシー通信（すなわちLTE）状況のみを使用することを選択することができる。
【０１３９】
いくつかのシナリオが考慮される。
mmWave UEは全く異なるカバレッジエリアにあり、この新しいカバレッジエリアに対して責任ある中央コントローラは、mmWave UEがmmWave周波数で最後に接続されたカバレッジエリアの中央コントローラとは異なる。このシナリオでは、図7に示すように、mmWave UE中心のクラウドセル形成要求を使用して、mmWave UE中心のクラウドセルを再度最初から全体的に構成する必要があり得る。
mmWave UEは同じ中央コントローラによって依然としてサービスされる。mmWave UE中心のクラウドセルを迅速に再確立するために、mmWave UEは、制御リンク障害レポートを送信し、レガシーアップリンク制御チャネルを介してmmWave UE中心のクラウドセル再形成要求を送信することができるため、中央コントローラ（または中央データベース）で最後に保存されたデータを使用して、mmWave UE中心のクラウドセルを迅速に再形成することができる。mmWave UEが制御リンク障害レポートに追加の情報を提供する場合、中央コントローラは、以前の測定値に従ってmmWave UE中心のクラウドセルをどのように再形成するかに関する知的決定を行うことができる。
【０１４０】
図24A〜24Bは、mmWave UEが、mmWave UE中心のクラウドセル再形成の後に、同じ中央コントローラによってサービスされたままである、mmWave UE中心のクラウドセルの再形成において生じるメッセージ交換および処理を強調する図2400を示している。図2400は、レガシーeNB2405、マスタTP2410、1つまたは複数のスレーブTP（例えば、TP2 2415およびTPN 2417）、mmWave UE2420、および中央コントローラ2425において生じるメッセージ交換および処理を示している。
【０１４１】
mmWave UE2420は、mmWaveリンクが失敗したと判断し、mmWaveリンク障害レポートを送信する（イベント2430）。マスタTPから受信したmmWave信号品質が指定された閾値を下回った場合（新しいマスタTPへのハンドオーバを完了できる前に）、mmWaveリンクが失敗している可能性があり、mmWave TP（すなわち、マスタTP）が故障している場合、UEは、例えば、範囲外に移動するなどする。mmWaveリンク障害レポートは、リンクが失敗したmmWave TP（すなわち、マスタTPの失敗）（既知の場合）の識別子、例えばmmWave TP ID、TPが（実質的に、そのUEの新しいマスタTP）と現時点でダウンリンク同期されているmmWave TPの識別子（ID）などを含むことができる。mmWave UE2420が、同期したmmWave TPの識別子と、mmWaveリンク障害レポートの制御接続性が失われたmmWave TPに関する情報とを提供する場合、新しいmmWave UE中心のクラウドセルを迅速に再確立することができる。mmWaveリンク障害レポートを、レガシーeNB2405に送信することができ、レガシーeNB2405は、mmWaveリンク障害レポートを中央コントローラ2425に転送する。mmWave UE2420は、mmWave UE中心のクラウドセル再形成要求を送信する（イベント2432）。mmWave UE中心のクラウドセル再形成要求を、中央コントローラ2425に送信することができる。中央コントローラ2425は、それが接続されている、またはサービスしているすべてのmmWave TP能力および負荷情報を通知される（イベント2434）。
【０１４２】
中央コントローラ2425は、mmWave UE2420のための新しいmmWave UE中心のクラウドセルを選択する（ブロック2436）。新しいmmWave UE中心のクラウドセルは、mmWave TPによって提供されるmmWave TP能力および負荷情報に従って形成されてもよい。新しいmmWave UE中心のクラウドセルは、以前のmmWave UE中心のクラウドセルのmmWave TP、およびmmWave UEからのwwWaveリンク障害レポートおよび保存されたCSI−RS測定レポートに含まれる情報に基づいて形成されてもよい。中央コントローラ2425は、形成された新たなmmWave UE中心のクラウドセルに関する情報をmmWave UE2420に通知するメッセージをmmWave UE2420に（レガシー接続（すなわち、LTE）によってeNB2405に）送信する（イベント2438）。中央コントローラ2425は、mmWave UE2420と通信するために新しいmmWave UE中心のクラウドセル内のmmWave TPを準備する（イベント2440）。
【０１４３】
mmWave UE2420は、ビーム形成されたアップリンク同期手順を開始する（イベント2442）。ビーム形成されたアップリンク同期手順は、mmWave UE2420がマスタTP2410でビーム形成されたRACHを開始することを含むことができる（イベント2444）。ビーム形成されたRACHは、mmWave UE2420がアップリンク送信電力を決定し、マスタTP2410とのアップリンク同期を確立する結果となり得る。ビーム形成されたRACHがマスタTP2410で正しく受信された場合、マスタTPはビーム形成されたRARをmmWave UE2420に送信する（イベント2446）。マスタTP2410は、必要に応じてタイミングアドバンス情報をmmWave UE2420に送信することもできる。万一、中央コントローラ2425が最も強いmmWave TPをmmWave UE中心のクラウドセルに割り当てない場合、mmWave UE2420は、中央コントローラ2425によって割り当てられたマスタTPと最初に同期し（mmWave UE2420によって検出される最も強いmmWave TPとは異なる）、CSI−RS測定を繰り返し、そのmmWave UE中心のクラウドセル形成要求を繰り返すか、または図13に示す手順に従うことができる。
【０１４４】
マスタTP2410は、mmWave UEからビーム形成されたRACHを正しく受信し、異なるTPのCQI知識が中央コントローラに格納される順序でmmWave TPのセットのスレーブTPからの確認応答を開始する。マスタTP2410は、スレーブTP2415からの確認応答を開始する（イベント2448）。次に、スレーブTP2415は、ビーム形成されたRARをmmWave UE2420に送信する（イベント2450）。次に、マスタTP2410は、スレーブTP2417からの確認応答を開始する（イベント2452）。次に、スレーブTP2417は、ビーム形成されたRARをmmWave UE2420に送信する（イベント2454）。mmWave UE2420は、スレーブTPから受信したRARについて、マスタTP2410に通知する（イベント2456）。マスタTP2410は、mmWave UE2420によって受信されたRARについて、レガシーeNB2405（イベント2458）およびスレーブTP（イベント2458）によって中央コントローラ2425に通知する。中央コントローラ2425は、mmWave UE2420によって受信されたRARについて受信された情報に基づいて中央データベースを更新する。中央コントローラ2425は、mmWave UE中心のクラウドセル動作、関連する通信ビームなどに割り当てられたTPのリストを更新することができる（イベント2460）。
【０１４５】
マスタTP2410は、送信フォーマットまたはパラメータに関する情報をmmWave UE2420に送信する（イベント2462）。送信フォーマットまたはパラメータは、PDCCH上でシグナリングされるDCIを含むことができる。異なるTP（マスタTP2410およびスレーブTP）は、同じまたは異なるMCSを有することができることに留意されたい。TP（マスタTP2410およびスレーブTP）は、ダウンリンクデータをmmWave UE2420に送信する（イベント2464）。
【０１４６】
一般に、中央コントローラは、少なくとも1つのレガシーeNBのカバレッジエリアで動作するmmWave TPを制御する。しかしながら、中央コントローラが、複数のレガシーeNBのカバレッジエリアに及ぶmmWave TPのセットを制御することができる場合、mmWave UE中心のクラウドセルのmmWave TPが複数のレガシーeNB境界に及ぶときおよび制御チャネルが異なるレガシーeNBのカバレッジエリアに位置するときに生じる問題は、発生しない。図25は、mmWave UEが、複数のレガシーeNBカバレッジエリアに及ぶmmWave TPを有するmmWave UE中心のクラウドセルによってサービスされる通信システム2500を示している。図25に示すように、mmWave UE2505は、レガシーeNB2510からの第1の制御チャネル、mmWave TP2515からの第2の制御チャネル、ならびにmmWave TP2515、mmWave TP2520およびmmWave TP2522からのデータを受信している。mmWave UE中心のクラウドセルは、2つのレガシーeNBのカバレッジエリアに及ぶ。レガシーeNBのカバレッジエリアにわたるmmWave UE中心のクラウドセル動作を容易にするために、eNBカバレッジエリアにわたるmmWave TPが接続される。しかしながら、mmWave UE中心のクラウドセルが新しい中央コントローラ（隣接する中央コントローラ）によってサービスされるとき、各mmWave UEに関連する中央コントローラの内容は、隣接する中央コントローラに移動（コピー）されなければならないかもしれない。1つの中央コントローラから別の中央コントローラへのハンドオーバは、通常のレガシーeNBからレガシーeNBへのハンドオーバとは独立していなければならない。
【０１４７】
例示的な実施形態によれば、高速制御チャネルリンク（アップリンクまたはダウンリンクのいずれか、または両方）は、単にマスタmmWave TPを使用するのとは対照的に、mmWave UEと、mmWave UE中心のクラウドセルのmmWave TPのうちの2つ以上との間で転送されてもよい。2つ以上のmmWave TPによって受信および／または送信される高速制御チャネルリンクは、高速制御チャネルに空間ダイバーシティの利点を提供し、これにより、高速制御チャネルがリンクの脆弱性からより免れることができる。
【０１４８】
例示的な実施形態によれば、mmWave UE中心のクラウドセルのmmWave TPを超える高速アップリンク制御チャネルリンクが実装される状況では、複数のアップリンク制御チャネルが単一のmmWave TP、例えばマスタTPで組み合わされる。
【０１４９】
例示的な実施形態によれば、mmWave UE中心のクラウドセルのmmWave TPよりも速いダウンリンク制御チャネルリンクが実装される状況では、複数のダウンリンク制御チャネルがmmWave UEで組み合わされる。
【０１５０】
図26は、本明細書に記載の方法を実行するための実施形態の処理システム2600のブロック図を示しており、これをホスト装置にインストールすることができる。図示されているように、処理システム2600は、プロセッサ2604、メモリ2606、およびインタフェース2610〜2614を含み、これらは図26に示すように配置されてもよい（または配置されなくてもよい）。プロセッサ2604は、計算および／または他の処理関連タスクを実行するように適合されたコンポーネントまたはコンポーネントの集合であってもよく、メモリ2606は、プロセッサ2604による実行のためのプログラミングおよび／または命令を格納するように適合されたコンポーネントまたはコンポーネントの集合であってもよい。一実施形態では、メモリ2606は、非一時的なコンピュータ可読媒体を含む。インタフェース2610，2612，2614は、処理システム2600が他のデバイス／コンポーネントおよび／またはユーザと通信することを可能にする任意のコンポーネントまたはコンポーネントの集合であってもよい。例えば、インタフェース2610，2612，2614のうちの1つまたは複数は、データ、制御、または管理メッセージをプロセッサ2604から、ホストデバイスおよび／またはリモートデバイスにインストールされたアプリケーションに通信するように適合されてもよい。別の例として、インタフェース2610，2612，2614のうちの1つまたは複数は、ユーザまたはユーザデバイス（例えば、パーソナルコンピュータ（PC）など）が処理システム2600と対話／通信することを可能にするように適合されてもよい。処理システム600は、長期ストレージ（例えば、不揮発性メモリなど）のような、図26に示されていない追加の構成要素を含むことができる。
【０１５１】
いくつかの実施形態では、処理システム2600は、電気通信ネットワークにアクセスしているか、そうでなければその一部であるネットワークデバイスに含まれる。一例では、処理システム2600は、基地局、中継局、スケジューラ、コントローラ、ゲートウェイ、ルータ、アプリケーションサーバ、または電気通信ネットワーク内の任意の他のデバイスなどの、無線または有線電気通信ネットワーク内のネットワーク側デバイス内にある。他の実施形態では、処理システム2600は、移動局、ユーザ機器（UE）、パーソナルコンピュータ（PC）、タブレット、ウェアラブル通信デバイス（例えば、スマートウォッチなど）、または電気通信ネットワークにアクセスするように適合された任意の他のデバイスなどの、無線または有線電気通信ネットワークにアクセスするユーザ側デバイス内にある。
【０１５２】
いくつかの実施形態では、インタフェース2610，2612，2614のうちの1つまたは複数が、電気通信ネットワークを介して信号を送受信するように適合されたトランシーバに処理システム2600を接続する。図27は、電気通信ネットワークを介してシグナリングを送受信するように適合されたトランシーバ2700のブロック図を示している。トランシーバ2700を、ホストデバイスにインストールすることができる。図示されるように、トランシーバ2700は、ネットワーク側インタフェース2702、カプラ2704、送信機2706、受信機2708、信号プロセッサ2710、およびデバイス側インタフェース2712を備える。ネットワーク側インタフェース2702は、無線または有線電気通信ネットワークを介してシグナリングを送受信するように適合されたコンポーネントまたはコンポーネントの集合を含むことができる。カプラ2704は、ネットワーク側インタフェース2702を介した双方向通信を容易にするように適合されたコンポーネントまたはコンポーネントの集合を含むことができる。送信機2706は、ベースバンド信号を、ネットワーク側インタフェース2702を介した送信に適した変調された搬送波信号に変換するように適合されたコンポーネントまたはコンポーネントの集合（例えば、アップコンバータ、電力増幅器など）を含むことができる。受信機2708は、ネットワーク側インタフェース2702を介して受信された搬送波信号をベースバンド信号に変換するように適合されたコンポーネントまたはコンポーネントの集合（例えば、ダウンコンバータ、低雑音増幅器など）を含むことができる。信号プロセッサ2710は、ベースバンド信号を、デバイス側インタフェース2712を介した通信に適したデータ信号に、またはその逆に変換するように適合されたコンポーネントまたはコンポーネントの集合を含むことができる。デバイス側インタフェース2712は、信号プロセッサ2710とホストデバイス内のコンポーネント（例えば、処理システム2600、ローカルエリアネットワーク（LAN）ポートなど）との間でデータ信号を通信するように適合されたコンポーネントまたはコンポーネントの集合を含むことができる。
【０１５３】
トランシーバ2700は、任意のタイプの通信媒体を介してシグナリングを送受信することができる。いくつかの実施形態では、トランシーバ2700は、無線媒体を介してシグナリングを送受信する。例えば、トランシーバ2700は、セルラプロトコル（例えば、LTE（long−term evolution）など）、無線ローカルエリアネットワーク（WLAN）プロトコル（例えば、Wi−Fiなど）、または任意の他のタイプの無線プロトコル（例えば、ブルートゥース(登録商標)、近距離通信（NFC）など）などの、無線電気通信プロトコルに従って通信するように適合された無線トランシーバであってもよい。そのような実施形態では、ネットワーク側インタフェース2702は、1つまたは複数のアンテナ／放射要素を備える。例えば、ネットワーク側インタフェース2702は、単一アンテナ、複数の別個のアンテナ、または、例えばSIMO（single input multiple output）、MISO（multiple input single output）、MIMO（multiple input multiple output）などの多層通信用に構成されたマルチアンテナアレイを含むことができる。他の実施形態では、トランシーバ2700は、有線媒体、例えば、ツイストペアケーブル、同軸ケーブル、光ファイバなどを介してシグナリングを送受信する。特定の処理システムおよび／またはトランシーバが、示されたコンポーネントのすべて、またはコンポーネントのサブセットのみを利用することができ、統合のレベルを装置ごとに変化させることができる。
【０１５４】
本開示およびその利点を詳細に説明したが、添付の特許請求の範囲によって定義される本開示の趣旨および範囲から逸脱することなく、本明細書において様々な変更、置換、および改変を行うことができることを理解されたい。
【符号の説明】
【０１５５】
11  3GPPロングタームエボリューション（LTE）リリース
100  通信システム、無線通信システム
105  進化型NodeB（eNB）
110,112,114,215  UE
200  レガシー通信システム
205,207,209  レガシーeNB
210,212,214  カバレッジエリア
300  配備シナリオ
305  シナリオ1
320  シナリオ2
340  シナリオ3
360  シナリオ4
400  通信システム
405  TP1
410  TP2
415  TP3
425  TP4
500  通信システム
505  マクロeNB
507  カバレッジエリア
510,512,514,516,518,520,522  TP
525,527,529,605  UE
600  通信システム
610  中央コントローラ
615  レガシーeNB
620  クラウドセル
625  マスタTP
627,629,631  スレーブTP
633  mmWave TP
705  レガシーeNB
710  マスタTP
715  TP2
717  TPN
720  mmWave UE
725  中央コントローラ
1305  レガシーeNB
1310  マスタTP
1315  TP2
1317  TPN
1320  mmWave UE
1325  中央コントローラ
1405  RRM測定セット
1410,1411,1412,1413,1414  TP
1425  COMP測定セット
1430  COMP協力セット
1505  mmWave UE
1510  レガシーeNB
1515  マスタTP
1520  スレーブTP
1525  mmWave TPX
1530  中央コントローラ
1563  RS監視ループ
1805  mmWave UE
1810  レガシーeNB
1815  マスタTP
1820  スレーブTP
1825  mmWave TPX
1830  中央コントローラ
1905  mmWave UE
1910  レガシーeNB
1915  マスタTP
1920  スレーブTP
1925  mmWave TPX
2405  レガシーeNB
2410  マスタTP
2415  TP2
2417  TPN
2420  mmWave UE
2425  中央コントローラ
2500  通信システム
2505  mmWave UE
2510  レガシーeNB
2515,2520,2522  mmWave TP
2600  処理システム
2604  プロセッサ
2606  メモリ
2610,2612,2614  インタフェース
2700  トランシーバ
2702  ネットワーク側インタフェース
2704  カプラ
2706  送信機
2708  受信機
2710  信号プロセッサ
2712  デバイス側インタフェース
【図１】
2019511178.tif 000003
【図２】
2019511178.tif 000004
【図３】
2019511178.tif 000005
【図４】
2019511178.tif 000006
【図５】
2019511178.tif 000007
【図６】
2019511178.tif 000008
【図７Ａ】
2019511178.tif 000009
【図７Ｂ】
2019511178.tif 000010
【図７Ｃ】
2019511178.tif 000011
【図８】
2019511178.tif 000012
【図９】
2019511178.tif 000013
【図１０】
2019511178.tif 000014
【図１１】
2019511178.tif 000015
【図１２】
2019511178.tif 000016
【図１３Ａ】
2019511178.tif 000017
【図１３Ｂ】
2019511178.tif 000018
【図１３Ｃ】
2019511178.tif 000019
【図１３Ｄ】
2019511178.tif 000020
【図１４】
2019511178.tif 000021
【図１５Ａ】
2019511178.tif 000022
【図１５Ｂ】
2019511178.tif 000023
【図１６】
2019511178.tif 000024
【図１７】
2019511178.tif 000025
【図１８Ａ】
2019511178.tif 000026
【図１８Ｂ】
2019511178.tif 000027
【図１９】
2019511178.tif 000028
【図２０Ａ】
2019511178.tif 000029
【図２０Ｂ】
2019511178.tif 000030
【図２１】
2019511178.tif 000031
【図２２】
2019511178.tif 000032
【図２３】
2019511178.tif 000033
【図２４Ａ】
2019511178.tif 000034
【図２４Ｂ】
2019511178.tif 000035
【図２５】
2019511178.tif 000036
【図２６】
2019511178.tif 000037
【図２７】
2019511178.tif 000038
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
ミリ波（mmWave）ユーザ機器（UE）を動作させるための方法であって、前記方法は、
前記mmWave UEによって、複数のmmWave送信ポイント（TP）によって送信されるビーム形成された基準信号を測定するステップと、
前記mmWave UEによって、前記測定されたビーム形成された基準信号に従って決定された最良のmmWave TPに関連するインジケータを含む測定レポートを含むクラウドセル形成要求を送信するステップと、
前記mmWave UEによって、選択情報に従って中央コントローラによって選択された前記最良のmmWave TPのサブセットに関連するインジケータを含むクラウドセル形成要求応答を受信するステップであって、前記最良のmmWave TPの前記サブセットは、マスタTPとしてサービスする第1のmmWave送信ポイント（TP）およびスレーブTPとしてサービスする第2のmmWave TPを含む、ステップと、
前記mmWave UEによって、前記中央コントローラによって選択された前記最良のmmWave TPの前記サブセットのmmWave TPとクラウドセルを確立するステップであって、データ接続が前記スレーブTPと確立され、少なくとも制御接続が前記マスタTPと確立される、ステップと
を含む、方法。
【請求項２】
前記mmWave UEによって、前記複数のmmWave TPによって送信されたTP特定信号を測定するステップと、
前記mmWave UEによって、最も強い測定されたTP特定信号に関連するmmWave TPとのダウンリンク同期を確立するステップと
をさらに含む、請求項1に記載の方法。
【請求項３】
前記ビーム形成された基準信号を測定するステップが、
各mmWave TPについて、
前記mmWave UEによって、複数の受信ビームを使用して複数のビーム形成された基準信号を測定するステップと、
前記mmWave UEによって、前記mmWave TPについて最良のビーム形成された基準信号および最良の受信ビームを選択するステップと
を含む、請求項1または2に記載の方法。
【請求項４】
前記クラウドセルを確立するステップが、
前記mmWave UEによって、ビーム形成されたランダムアクセスチャネル（RACH）を前記マスタTPに送信するステップと、
前記mmWave UEによって、前記マスタTPからのビーム形成されたRACH応答（RAR）を受信して、前記マスタTPとの前記制御接続を形成するステップと、
前記mmWave UEによって、前記スレーブTPからビーム形成されたRARを受信するステップと、
前記mmWave UEによって、受信されたRARのインジケータを前記マスタTPに送信するステップと、
前記mmWave UEによって、前記マスタTPから送信パラメータのインジケータを受信するステップと
を含む、請求項1から3のうちのいずれか一項に記載の方法。
【請求項５】
前記クラウドセルを確立するステップが、
前記mmWave UEによって、ビーム形成されたランダムアクセスチャネル（RACH）を前記マスタTPに送信するステップと、
前記マスタTPからRARが受信されなかった場合、前記mmWave UEによって、RAR未受信メッセージを送信するステップと、
前記mmWave UEによって、中央コントローラによって選択された新しいmmWave TPのセットに関連するインジケータを含む応答を受信するステップであって、前記新しいmmWave TPのセットは、新しいマスタTPとしてサービスする第3のmmWave TPおよび新しいスレーブTPとしてサービスする第4のmmWave TPを含む、ステップと、
前記mmWave UEによって、前記中央コントローラによって選択された前記新しいmmWave TPのセットのmmWave TPとクラウドセルを確立するステップであって、データ接続が前記新しいスレーブTPと確立され、少なくとも制御接続が前記新しいマスタTPと確立される、ステップと
を含む、請求項1から3のうちのいずれか一項に記載の方法。
【請求項６】
前記測定レポートを含む前記クラウドセル形成要求を送信するステップが、
前記mmWave UEによって、前記クラウドセル形成要求の前記中央コントローラへの転送をトリガするために前記クラウドセル形成要求をレガシー進化型NodeB（eNB）に送信するステップ
を含む、請求項1から4のうちのいずれか一項に記載の方法。
記載の方法。
【請求項７】
中央コントローラを動作させるための方法であって、前記方法は、
前記中央コントローラによって、ミリ波（mmWave）送信ポイント（TP）によって送信された測定されたビーム形成された基準信号に従って決定された最良のmmWave TPに関する最良のビーム形成された基準信号および前記最良のmmWave TPに関連するインジケータを含む測定レポートを含むクラウドセル形成要求を受信するステップと、
前記中央コントローラによって、前記最良のビーム形成された基準信号に従って前記最良のmmWave TPのサブセットを選択するステップであって、前記最良のmmWave TPの前記サブセットは、マスタTPとしてサービスするmmWave送信ポイント（TP）およびスレーブTPとしてサービスするmmWave TPを含む、ステップと、
前記中央コントローラによって、前記最良のmmWave TPの前記サブセットに関連するインジケータを含むクラウドセル形成応答を送信するステップと
を含む、方法。
【請求項８】
前記クラウドセル形成応答を送信するステップが、
前記中央コントローラによって、前記クラウドセル形成応答のmmWaveユーザ機器（UE）への転送をトリガするために前記クラウドセル形成応答をレガシー進化型NodeB（eNB）に送信するステップ
を含む、請求項7に記載の方法。
【請求項９】
前記中央コントローラによって、前記最良のビーム形成された基準信号に従って決定された最良の受信ビームのインジケータを、前記最良のmmWave TPの前記サブセットの前記mmWave TPに送信するステップ
をさらに含む、請求項7または8に記載の方法。
【請求項１０】
第1のミリ波（mmWave）送信ポイント（TP）を動作させるための方法であって、前記方法は、
前記第1のmmWave TPによって、mmWaveユーザ機器（UE）とのアップリンク同期を実行するステップと、
前記第1のmmWave TPによって、前記mmWave UEに対してビーム形成されたランダムアクセスチャネル応答（RAR）をトリガするために第2のmmWave TPから前記mmWave UEへの確認応答を開始するステップと、
前記第1のmmWave TPによって、前記mmWave UEによって受信されたRARの数のインジケータを受信するステップと、
前記第1のmmWave TPによって、選択された送信パラメータのインジケータを前記mmWave UEに送信するステップと
を含む、方法。
【請求項１１】
前記アップリンク同期を実行するステップが、
前記第1のmmWave TPによって、前記mmWave UEからビーム形成されたランダムアクセスチャネル（RACH）を受信するステップと、
前記mmWave TPによって、ビーム形成されたRARを前記mmWave UEに送信するステップと
を含む、請求項10に記載の方法。
【請求項１２】
前記第1のmmWave TPによって、前記mmWave UEによって受信された前記RARの数のインジケータを中央コントローラに送信するステップと、
前記第1のmmWave TPによって、前記mmWave UEによって受信された前記RARの数のインジケータを前記第2のmmWave TPに送信するステップと
をさらに含む、請求項10または11に記載の方法。
【請求項１３】
デジタル通信を実行するように適合されたミリ波（mmWave）ユーザ機器（UE）であって、前記mmWave UEは、
プロセッサと、
前記プロセッサによる実行のためのプログラミングを格納するコンピュータ可読記憶媒体と
を備え、前記プログラミングは、前記mmWave UEが、
複数のmmWave送信ポイント（TP）によって送信されるビーム形成された基準信号を測定し、
前記測定されたビーム形成された基準信号に従って決定された最良のmmWave TPに関連するインジケータを含む測定レポートを含むクラウドセル形成要求を送信し、
選択情報に従って中央コントローラによって選択された前記最良のmmWave TPのサブセットに関連するインジケータを含むクラウドセル形成要求応答を受信し、前記最良のmmWave TPの前記サブセットは、マスタTPとしてサービスする第1のmmWave送信ポイント（TP）およびスレーブTPとしてサービスする第2のmmWave TPを含み、
前記中央コントローラによって選択された前記最良のmmWave TPの前記サブセットのmmWave TPとクラウドセルを確立し、データ接続が前記スレーブTPと確立され、少なくとも制御接続が前記マスタTPと確立される、
ように構成するための命令を含む、
mmWave UE。
【請求項１４】
前記プログラミングが、ビーム形成されたランダムアクセスチャネル（RACH）を前記マスタTPに送信し、前記マスタTPからのビーム形成されたRACH応答（RAR）を受信して、前記マスタTPとの前記制御接続を形成し、前記スレーブTPからビーム形成されたRARを受信し、受信されたRARのインジケータを前記マスタTPに送信し、前記マスタTPから送信パラメータのインジケータを受信するための命令をさらに含む、請求項13に記載のmmWave UE。
【請求項１５】
前記プログラミングが、ビーム形成されたランダムアクセスチャネル（RACH）を前記マスタTPに送信し、前記マスタTPからRARが受信されなかった場合、RAR未受信メッセージを送信し、中央コントローラによって選択された新しいmmWave TPのセットに関連するインジケータを含む応答を受信し、前記新しいmmWave TPのセットは、新しいマスタTPとしてサービスする第3のmmWave TPおよび新しいスレーブTPとしてサービスする第4のmmWave TPを含み、前記中央コントローラによって選択された前記新しいmmWave TPのセットのmmWave TPとクラウドセルを確立し、データ接続が前記新しいスレーブTPと確立され、少なくとも制御接続が前記新しいマスタTPと確立される、ための命令をさらに含む、請求項13に記載のmmWave UE。
【請求項１６】
デジタル通信を実行するように適合された中央コントローラであって、前記中央コントローラは、
プロセッサと、
前記プロセッサによる実行のためのプログラミングを格納するコンピュータ可読記憶媒体と
を備え、前記プログラミングは、前記中央コントローラが、
ミリ波（mmWave）送信ポイント（TP）によって送信された測定されたビーム形成された基準信号に従って決定された最良のmmWave TPに関する最良のビーム形成された基準信号および前記最良のmmWave TPに関連するインジケータを含む測定レポートを含むクラウドセル形成要求を受信し、
前記最良のビーム形成された基準信号に従って前記最良のmmWave TPのサブセットを選択し、前記最良のmmWave TPの前記サブセットは、マスタTPとしてサービスするmmWave TPおよびスレーブTPとしてサービスするmmWave TPを含み、
前記最良のmmWave TPの前記サブセットに関連するインジケータを含むクラウドセル形成応答を送信する、
ように構成するための命令を含む、中央コントローラ。
【請求項１７】
デジタル通信を実行するように適合された第1のミリ波（mmWave）送信ポイント（TP）であって、前記第1のmmWave TPは、
プロセッサと、
前記プロセッサによる実行のためのプログラミングを格納するコンピュータ可読記憶媒体と
を備え、前記プログラミングは、前記第1のmmWave TPが、
mmWaveユーザ機器（UE）とのアップリンク同期を実行し、
第2のmmWave TPから前記mmWave UEへの確認応答を開始して、前記mmWave UEに対してビーム形成されたランダムアクセスチャネル応答（RAR）をトリガし、
前記mmWave UEによって受信されたRARの数のインジケータを受信し、
選択された送信パラメータのインジケータを前記mmWave UEに送信する、
ように構成するための命令を含む、第1のmmWave TP。
【請求項１８】
コンピュータが請求項1から6のうちのいずれか一項に記載の方法を実行することを可能にするために用いられる少なくとも1つの命令を記憶するコンピュータ読み取り可能な記録媒体。
【請求項１９】
コンピュータが請求項7から9のうちのいずれか一項に記載の方法を実行することを可能にするために用いられる少なくとも1つの命令を記憶するコンピュータ読み取り可能な記録媒体。
【請求項２０】
コンピュータが請求項10から12のうちのいずれか一項に記載の方法を実行することを可能にするために用いられる少なくとも1つの命令を記憶するコンピュータ読み取り可能な記録媒体。
【国際調査報告】
2019511178.tif 000039
2019511178.tif 000040